(57)【特許請求の範囲】
【請求項１】
ユーザ機器（ＵＥ）に関するワイヤレス通信の方法であって、
ミリメートル波基地局（ｍｍＷ−ＢＳ）に関連し、少なくともデジタル、アナログ、またはハイブリッドビームフォーミング能力のうちの１つを示し、および前記ｍｍＷ−ＢＳのＲＦビーム切り換え速度を含む、ビームフォーミング能力情報を受信することと、
前記ＲＦビーム切り換え速度を含む前記ビームフォーミング能力情報に基づいて、前記ＵＥのＭの受信ビーム方向の各々に関して前記ｍｍＷ−ＢＳからのＮの送信ビームをスキャンすること、前記スキャンすることは、前記ＲＦビーム切り換え速度に基づいて前記スキャンすることに関するフレーム構造を選択することを含む、と、
前記Ｎの送信ビームの中から１つまたは複数の好ましいスキャンされたビームを決定することと、
前記好ましい１つまたは複数のスキャンされたビームに基づいて前記ｍｍＷ−ＢＳとワイヤレス通信リンクを確立することと、
を備える、方法。
【請求項２】
前記ｍｍＷ−ＢＳに前記好ましい１つまたは複数のスキャンされたビームを示す情報を送信することをさらに備える、
請求項１に記載の方法。
【請求項３】
前記ｍｍＷ−ＢＳに前記ＵＥに関連するビームフォーミング能力情報を送信することをさらに備え、ここにおいて、前記スキャンすることは、前記ＵＥに関連する前記ビームフォーミング能力情報にさらに基づく、
請求項１に記載の方法。
【請求項４】
前記ｍｍＷ−ＢＳに関連する前記ビームフォーミング能力情報または前記ＵＥに関連する前記ビームフォーミング能力情報のうちの少なくとも１つに基づいて前記好ましいスキャンされたビームを通じてビーム情報を搬送するために前記ＵＥと前記ｍｍＷ−ＢＳとの間の適切なシグナリングフレームワークおよびビーム探索プロシージャを決定することをさらに備え、ここにおいて、前記スキャンすることは、前記決定されたビーム探索プロシージャにより実行される、
請求項３に記載の方法。
【請求項５】
前記ＵＥに関連する前記ビームフォーミング能力情報は、前記ＵＥが複数のアンテナサブアレイを備えることを示し、および、
前記Ｎの送信ビームを前記スキャンすることは、タイムスロットにおいて前記複数のアンテナサブアレイを使用して前記Ｎの送信ビームをスキャンすることを備える、
請求項３に記載の方法。
【請求項６】
前記スキャンすることは、前記Ｎの送信ビームに関するアンテナ重みおよび／または位相および振幅を設定することを備える、
請求項１に記載の方法。
【請求項７】
前記１つまたは複数の好ましいスキャンされたビームを決定することは、前記スキャンされたビームの信号品質をしきい値と比較することを備える、
請求項１に記載の方法。
【請求項８】
ワイヤレス通信のためのユーザ機器（ＵＥ）であって、
ミリメートル波基地局（ｍｍＷ−ＢＳ）に関連し、少なくともデジタル、アナログ、またはハイブリッドビームフォーミング能力のうちの１つを示し、および前記ｍｍＷ−ＢＳのＲＦビーム切り換え速度を含む、ビームフォーミング能力情報を受信するための手段と、
前記ＲＦビーム切り換え速度を含む前記ビームフォーミング能力情報に基づいて、前記ＵＥのＭの受信ビーム方向の各々に関して前記ｍｍＷ−ＢＳからのＮの送信ビームをスキャンするための手段、前記スキャンすることは、前記ＲＦビーム切り換え速度に基づいて前記スキャンすることに関するフレーム構造を選択することを含む、と、
前記Ｎの送信ビームの中から１つまたは複数の好ましいスキャンされたビームを決定するための手段と、
前記好ましい１つまたは複数のスキャンされたビームに基づいて前記ｍｍＷ−ＢＳとワイヤレス通信リンクを確立するための手段と、
を備える、ＵＥ。
【請求項９】
前記ｍｍＷ−ＢＳに前記好ましい１つまたは複数のスキャンされたビームを示す情報を送信するための手段をさらに備える、
請求項８に記載のＵＥ。
【請求項１０】
前記ｍｍＷ−ＢＳに前記ＵＥに関連するビームフォーミング能力情報を送信するための手段をさらに備え、ここにおいて、前記スキャンすることは、前記ＵＥに関連する前記ビームフォーミング能力情報にさらに基づく、
請求項８に記載のＵＥ。
【請求項１１】
前記ｍｍＷ−ＢＳに関連する前記ビームフォーミング能力情報または前記ＵＥに関連する前記ビームフォーミング能力情報のうちの少なくとも１つに基づいて前記好ましいスキャンされたビームを通じてビーム情報を搬送するために前記ＵＥと前記ｍｍＷ−ＢＳとの間の適切なシグナリングフレームワークおよびビーム探索プロシージャを決定するための手段をさらに備え、ここにおいて、前記スキャンすることは、前記決定されたビーム探索プロシージャにより実行される、
請求項１０に記載のＵＥ。
【請求項１２】
前記ＵＥに関連する前記ビームフォーミング能力情報は、前記ＵＥが複数のアンテナサブアレイを備えることを示し、および、
前記Ｎの送信ビームを前記スキャンすることは、タイムスロットにおいて前記複数のアンテナサブアレイを使用して前記Ｎの送信ビームをスキャンすることを備える、
請求項１０に記載のＵＥ。
【請求項１３】
前記スキャンすることは、前記Ｎの送信ビームに関するアンテナ重みおよび／または位相および振幅を設定することを備える、
請求項８に記載のＵＥ。
【請求項１４】
前記１つまたは複数の好ましいスキャンされたビームを決定することは、前記スキャンされたビームの信号品質をしきい値と比較することを備える、
請求項８に記載のＵＥ。
【請求項１５】
コンピュータプログラムであって、コンピュータ可読な記憶媒体上に格納され、および、少なくとも１つのプロセッサ上で実行されると、
ミリメートル波基地局（ｍｍＷ−ＢＳ）に関連し、少なくともデジタル、アナログ、またはハイブリッドビームフォーミング能力のうちの１つを示し、および前記ｍｍＷ−ＢＳのＲＦビーム切り換え速度を含む、ビームフォーミング能力情報を受信することと、
前記ＲＦビーム切り換え速度を含む前記ビームフォーミング能力情報に基づいて、前記ＵＥのＭの受信ビーム方向の各々に関して前記ｍｍＷ−ＢＳからのＮの送信ビームをスキャンすること、前記スキャンすることは、前記ＲＦビーム切り換え速度に基づいて前記スキャンすることに関するフレーム構造を選択することを含む、と、
前記Ｎの送信ビームの中から１つまたは複数の好ましいスキャンされたビームを決定することと、
前記好ましい１つまたは複数のスキャンされたビームに基づいて前記ｍｍＷ−ＢＳとワイヤレス通信リンクを確立することと
を前記少なくとも１つのプロセッサに行わせるコードを備える、コンピュータプログラム。
【発明の詳細な説明】
【関連出願の相互参照】
【０００１】
[0001]本出願は、本明細書における引用によってその全体が明示で組み込まれ、２０１４年８月５日に出願され、「ＭＥＴＨＯＤＳ  ＥＸＰＬＯＩＴＩＮＧ  ＡＳＹＭＭＥＴＲＩＣ  ＣＡＰＡＢＩＬＩＴＩＥＳ  ＦＯＲ  ＣＯＮＴＥＮＴＩＯＮ−ＢＡＳＥＤ  ＲＡＮＤＯＭ  ＡＣＣＥＳＳ  ＩＮ  ＭＭ−ＷＡＶＥ  ＡＣＣＥＳＳ  ＳＹＳＴＥＭＳ」と題する、米国特許出願第１４／４５２５１０号の利益を主張する。
【技術分野】
【０００２】
[0002]本開示は、概して、通信システムに関し、より具体的には、ミリメートル波（ｍｍＷ）アクセスシステムにおけるコンテンションをベースにしたランダムアクセスのために非対称的能力を利用する方法に関する。
【背景技術】
【０００３】
[0003]ワイヤレス通信システムは、テレフォニー、映像、データ、メッセージング、およびブロードキャストのような様々な電気通信サービスを提供するために広く展開されている。典型的なワイヤレス通信システムは、利用可能なシステムリソース（例えば、帯域幅、送信電力、総通信時間、等）を共有することによって複数のユーザとの通信をサポートすることが可能な多元接続技術を使用し得る。そのような多元接続技術の例は、符号分割多元接続（ＣＤＭＡ）システムと、時分割多元接続（ＴＤＭＡ）システムと、周波数分割多元接続（ＦＤＭＡ）システムと、直交周波数分割多元接続（ＯＦＤＭＡ）システムと、単一キャリア周波数分割多元接続（ＳＣ−ＦＤＭＡ）システムと、時分割同期符号分割多元接続（ＴＤ−ＳＣＤＭＡ）システムと、を含む。
【０００４】
[0004]これらの多元接続技術は、異なる無線デバイスが都市、国家、地域、さらには地球規模で通信することを可能にする共通プロトコルを提供するために様々な電気通信規格において採用されている。台頭してきた電気通信規格の例は、ロングタームエボリューション（ＬＴＥ（登録商標）：Ｌｏｎｇ  Ｔｅｒｍ  Ｅｖｏｌｕｔｉｏｎ）である。ＬＴＥは、第３世代パートナーシッププロジェクト（３ＧＰＰ（登録商標））によって公布されたユニバーサル移動通信システム（ＵＭＴＳ）モバイル規格の一組の拡張である。ＬＴＥは、スペクトル効率を向上させ、コストを削減し、サービスを向上させ、新しいスペクトルを利用し、および、ダウンリンク（ＤＬ）上でのＯＦＤＭＡ、アップリンク（ＵＬ）上でのＳＣ−ＦＤＭＡ、および多入力多出力（ＭＩＭＯ）アンテナ技術を使用する他のオープン規格とより良く統合することによってモバイルブロードバンドインターネットアクセスをより良くサポートするように設計されている。しかしながら、モバイルブロードバンドアクセスに関する需要が増大し続けるのに応じて、ＬＴＥ技術のさらなる改良の必要性が存在する。好ましくは、これらの改良は、その他の多元接続技術およびこれらの技術を使用する電気通信規格に適用可能であるべきである。
【発明の概要】
【０００５】
[0005]本開示の一態様において、方法、コンピュータプログラム製品、および装置が提供される。装置は、少なくともデジタル、アナログ、またはハイブリッドビームフォーミング能力のうちの１つを示すビームフォーミング能力情報を受信し、ビームフォーミング能力は、ミリメートル波基地局（ｍｍＷ−ＢＳ）に関連する。ビームフォーミング能力情報に基づき、装置は、ＵＥのＭの受信ビーム方向の各々に関してｍｍＷ−ＢＳからのＮの送信ビームをスキャンし、Ｎの送信ビームの中から１つまたは複数の好ましいスキャンされたビームを決定し、好ましい１つまたは複数のスキャンされたビームに基づいてｍｍＷ−ＢＳとワイヤレス通信リンクを確立する。
【図面の簡単な説明】
【０００６】
【図１】[0006]  図１は、ネットワークアーキテクチャの例を示した概略図である。
【図２】[0007]  図２は、アクセスネットワークの例を示した概略図である。
【図３】[0008]  図３は、アクセスネットワークにおける発展型ノードＢおよびユーザ機器の例を示した概略図である。
【図４】[0009]  図４は、デバイス・ツー・デバイス通信システムの概略図である。
【図５】[0010]  図５は、ｍｍＷワイヤレス通信システムの例を示した概略図である。
【図６】[0011]  図６は、ＵＥおよびｍｍＷ−ＢＳに関するスキャン動作例を示した概略図である。
【図７】[0012]  図７は、ＵＥおよびｍｍＷ−ＢＳに関するスキャン動作例を示した概略図である。
【図８】[0013]  図８は、ＵＥおよびｍｍＷ−ＢＳに関するスキャン動作例を示した概略図である。
【図９】[0014]  図９は、ＵＥおよびｍｍＷ−ＢＳに関するスキャン動作例を示した概略図である。
【図１０】[0015]  図１０は、ＵＥおよびｍｍＷ−ＢＳに関するスキャン動作例を示した概略図である。
【図１１】[0016]  図１１は、ワイヤレス通信の方法のフローチャートである。
【図１２】[0017]  図１２は、例示的な装置における異なるモジュール／手段／コンポーネント間でのデータフローを示したデータフロー概略図である。
【図１３】[0018]  図１３は、処理システムを使用する装置に関するハードウェア実装の例を示した概略図である。
【発明を実施するための形態】
【０００７】
[0019]添付された図面に関連して以下に記載される詳細な説明は、様々な構成の説明として意図され、本明細書において説明される概念が実行され得る唯一の構成を表すことは意図されない。詳細な説明は、様々な概念の徹底的な理解を提供するための具体的な詳細を含む。しかしながら、これらの概念は、これらの具体的な詳細なしで実行され得ることが当業者にとって明らかになるであろう。幾つかの例では、周知の構造およびコンポーネントは、そのような概念を不明瞭にすることを回避するためにブロック図の形で示される。
【０００８】
[0020]ここでは、電気通信システムの幾つかの態様が、様々な装置および方法に関連して提示される。これらの装置および方法は、以下の詳細な説明において説明され、添付された図面では、（総称して「要素」と呼ばれる）様々なブロック、モジュール、コンポーネント、回路、ステップ、プロセス、アルゴリズム、等によって示される。これらの要素は、電子ハードウェア、コンピュータソフトウェア、またはそれらの任意の組み合わせを使用して実装され得る。そのような要素がハードウェアまたはソフトウェアのいずれとして実装されるかは、特定の適用例および全体的システムに対して課せられた設計制約に依存する。
【０００９】
[0021]例として、要素、または要素の一部、または要素の任意の組み合わせは、１つまたは複数のプロセッサを含む「処理システム」によって実装され得る。プロセッサの例は、マイクロプロセッサと、マイクロコントローラと、デジタル信号プロセッサ（ＤＳＰ）と、フィールドプログラマブルゲートアレイ（ＦＰＧＡ）と、プログラマブルロジックデバイス（ＰＬＤ）と、ステートマシンと、ゲーテッドロジック（ｇａｔｅｄ  ｌｏｇｉｃ）と、ディスクリートハードウェア回路と、本開示全体を通じて説明される様々な機能を果たすように構成された他の適切なハードウェアと、を含む。処理システム内の１つまたは複数のプロセッサは、ソフトウェアを実行し得る。ソフトウェアとは、ソフトウェア、ファームウェア、ミドルウェア、マイクロコード、ハードウェア記述言語、またはその他のいずれとして呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、エクセキュータブル（ｅｘｅｃｕｔａｂｌｅ）、実行スレッド、プロシージャ、関数、等を意味すると広義で解釈されるものとする。
【００１０】
[0022]従って、１つまたは複数の例示的な実施形態において、説明される機能は、ハードウェア、ソフトウェア、ファームウェア、またはそれらの任意の組み合わせ内に実装され得る。ソフトウェアにおいて実装される場合は、これらの機能は、コンピュータ可読媒体上において格納されまたは１つまたは複数の命令またはコードとして符号化され得る。コンピュータ可読媒体は、コンピュータ記憶媒体を含む。記憶媒体は、コンピュータによってアクセスされることができる任意の利用可能な媒体であり得る。例として、および限定することなしに、そのようなコンピュータ可読媒体は、ランダムアクセスメモリ（ＲＡＭ）、読み取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光学ディスクストレージ、磁気ディスクストレージまたは他の磁気記憶デバイス、または、希望されるプログラムコードを命令またはデータ構造の形態で搬送または格納するために使用されることができおよびコンピュータによってアクセスされることができる任意の他の媒体、を備えることができる。上記の組合せもまた、コンピュータ可読媒体の適用範囲に含められるべきである。
【００１１】
[0023]図１は、ＬＴＥネットワークアーキテクチャ１００を示した概略図である。ＬＴＥネットワークアーキテクチャ１００は、発展型パケットシステム（ＥＰＳ）１００と呼ばれ得る。ＥＰＳ１００は、１つまたは複数のユーザ機器（ＵＥ）１０２と、発展型ＵＭＴＳ地上無線アクセスネットワーク（Ｅ−ＵＴＲＡＮ）１０４と、発展型パケットコア（ＥＰＣ）１１０と、オペレータのインターネットプロトコル（ＩＰ）サービス１２２と、を含み得る。ＥＰＳは、他のアクセスネットワークと相互に接続することができるが、単純化のため、それらのエンティティ／インタフェースは示されていない。示されるように、ＥＰＳは、パケット交換型サービスを提供する。しかしながら、当業者が容易に認識するように、本開示全体を通じて提示される様々な概念は、回線交換型サービスを提供するネットワークに拡張され得る。
【００１２】
[0024]Ｅ−ＵＴＲＡＮは、発展型ノードＢ（ｅＮＢ）１０６と、他のｅＮＢ１０８と、を含み、および、マルチキャストコーディネーションエンティティ（ＭＣＥ）１２８を含み得る。ｅＮＢ１０６は、ＵＥ１０２へ向けてのユーザおよび制御プレーンプロトコル終端を提供する。ｅＮＢ１０６は、バックホール（例えば、Ｘ２インタフェース）を介して他のｅＮＢ１０８に接続され得る。ＭＣＥ１２８は、発展型マルチメディアブロードキャストマルチキャストサービス（ＭＢＭＳ）（ｅＭＢＭＳ）に関する時間／周波数無線リソースを割り振り、ｅＭＢＭＳに関する無線構成（例えば、変調およびコーディング方式（ＭＣＳ））を決定する。ＭＣＥ１２８は、別個のエンティティまたはｅＮＢ１０６の一部であり得る。ｅＮＢ１０６はまた、基地局、ノードＢ、アクセスポイント、ベーストランシーバ局、無線基地局、無線トランシーバ、トランシーバ機能、ベーシックサービスセット（ＢＳＳ）、拡張サービスセット（ＥＳＳ）、または何らかの他の適切な用語と呼ばれ得る。ｅＮＢ１０６は、ＵＥ１０２のためにＥＰＣ１１０にアクセスポイントを提供する。ＵＥ１０２の例は、携帯電話、スマートフォン、セッション開始プロトコル（ＳＩＰ）フォン、ラップトップ、携帯情報端末（ＰＤＡ）、衛星無線、全地球測位システム、マルチメディアデバイス、映像デバイス、デジタルオーディオプレーヤー（例えば、ＭＰ３プレーヤー）、カメラ、ゲームコンソール、タブレット、またはいずれかの他の同様の機能のデバイスを含む。ＵＥ１０２はまた、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、無線端末、遠隔端末、ハンドセット、ユーザエージェント、モバイルクライアント、クライアント、または何らかの他の適切な用語と呼ばれ得る。
【００１３】
[0025]ｅＮＢ１０６は、ＥＰＣ１１０に接続される。ＥＰＣ１１０は、モビリティ管理エンティティ（ＭＭＥ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンター（ＢＭ−ＳＣ）１２６と、パケットデータネットワーク（ＰＤＮ）ゲートウェイ１１８と、を含む。ＭＭＥ１１２は、ＵＥ１０２とＥＰＣ１１０との間のシグナリングを処理する制御ノードである。概して、ＭＭＥ１１２は、ベアラおよび接続管理を提供する。すべてのユーザＩＰパケットがサービングゲートウェイ１１６を通じて転送され、それ自体は、ＰＤＮゲートウェイ１１８に接続される。ＰＤＮゲートウェイ１１８は、ＵＥ  ＩＰアドレス割り振りおよび他の機能を提供する。ＰＤＮゲートウェイ１１８およびＢＭ−ＳＣ１２６は、ＩＰサービス１２２に接続される。ＩＰサービス１２２は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１２６は、ＭＢＭＳユーザサービス提供および引き渡しに関する機能を提供し得る。ＢＭ−ＳＣ１２６は、コンテンツプロバイダＭＢＭＳ送信のためのエントリポイントとして働き得、ＰＬＭＮ内においてＭＢＭＳベアラサービスを認可および開始するために使用され得、および、ＭＢＭＳ送信をスケジューリングおよび引き渡すために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（例えば、１０６、１０８）にＭＢＭＳトラフィックを配信するために使用され得、および、セッション管理（開始／停止）およびｅＭＢＭＳ関連課金情報を収集することを担い得る。
【００１４】
[0026]一態様において、ＵＥ１０２は、ＬＴＥネットワークおよびミリメートル波（ｍｍＷ）システムを介して信号を通信することが可能である。従って、ＵＥ１０２は、ＬＴＥリンクを通じてｅＮＢ１０６および／または他のｅＮＢ１０８と通信し得る。さらに、ＵＥ１０２は、ｍｍＷリンクを通じて（ｍｍＷシステム通信が可能な）接続ポイント（ＣＰ）または基地局（ＢＳ）またはｍｍＷ基地局（ｍｍＷ−ＢＳ）と通信し得る。
【００１５】
[0027]さらなる態様において、他のｅＮＢ１０８のうちの少なくとも１つは、ＬＴＥネットワークおよびｍｍＷシステムを介して信号を通信することが可能であり得る。従って、ｅＮＢ１０８は、ＬＴＥ＋ｍｍＷＢ  ｅＮＢと呼ばれ得る。別の態様において、ＣＰ／ＢＳ／ｍｍＷ−ＢＳ１３０は、ＬＴＥネットワークおよびｍｍＷシステムを介して信号を通信することが可能であり得る。従って、ＣＰ／ＢＳ／ｍｍＷ−ＢＳ１３０は、ＬＴＥ＋ｍｍＷ  ＣＰ／ＢＳと呼ばれ得る。ＵＥ１０２は、ＬＴＥリンクを通じておよびｍｍＷリンクを通じて他のｅＮＢ１０８と通信し得る。
【００１６】
[0028]さらに別の態様において、他のｅＮＢ１０８は、ＬＴＥネットワークおよびｍｍＷシステムを介して信号を通信することが可能であり得、他方、ＣＰ／ＢＳ１３０は、ｍｍＷシステムのみを介して信号を通信することが可能である。従って、ＬＴＥネットワークを介して他のｅＮＢ１０８にシグナリングすることができないＣＰ／ＢＳ１３０は、ｍｍＷバックホールリンクを通じて他のｅＮＢ１０８と通信し得る。
【００１７】
[0029]  図２は、ＬＴＥネットワークアーキテクチャにおけるアクセスネットワーク２００の例を示した概略図である。この例では、アクセスネットワーク２００は、幾つかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、ミクロセル、またはリモートラジオヘッド（ＲＲＨ）であり得る。マクロｅＮＢ２０４は、各々のセル２０２に各々割り当てられ、セル２０２内のすべてのＵＥ２０６のためにＥＰＣ１１０にアクセスポイントを提供するように構成される。アクセスネットワーク２００のこの例では中央集中型コントローラは存在しないが、代替構成においては中央集中型コントローラが使用され得る。ｅＮＢ２０４は、無線ベアラ制御と、アドミッション制御と、モビリティ制御と、スケジューリングと、セキュリティと、サービングゲートウェイ１１６への接続性と、を含むすべての無線関連機能を担う。ｅＮＢは、（セクタとも呼ばれる）１つまたは複数の（例えば、３つの）セルをサポートし得る。用語「セル」は、特定のカバレッジエリアにサービスを提供するｅＮＢおよび／またはｅＮＢサブシステムの最小のカバレッジエリアを意味することができる。さらに、用語「ｅＮＢ」、「基地局」、および「セル」は、本明細書においては互換可能な形で使用され得る。
【００１８】
[0030]一態様において、ＵＥ２０６は、ＬＴＥネットワークおよびミリメートル波（ｍｍＷ）システムを介して信号を通信し得る。従って、ＵＥ２０６は、ＬＴＥリンクを通じてｅＮＢ２０４と通信し、ｍｍＷリンクを通じて（ｍｍＷシステム通信が可能な）ＣＰまたはＢＳ２１２と通信し得る。さらなる態様において、ｅＮＢ２０４およびＣＰ／ＢＳ／ｍｍＷ−ＢＳ２１２は、ＬＴＥネットワークおよびｍｍＷシステムを介して信号を通信し得る。従って、ＵＥ２０６は、（ｅＮＢ２０４がｍｍＷシステム通信が可能であるときには）ＬＴＥリンクおよびｍｍＷリンクを通じてｅＮＢ２０４と通信し得、または、（ＣＰ／ＢＳ／ｍｍＷ−ＢＳ２１２がＬＴＥネットワーク通信が可能であるときには）ｍｍＷリンクおよびＬＴＥリンクを通じてＣＰ／ＢＳ２１２と通信し得る。さらに別の態様において、ｅＮＢ２０４は、ＬＴＥネットワークおよびｍｍＷシステムを介して信号を通信し、他方、ＣＰ／ＢＳ／ｍｍＷ−ＢＳ２１２は、ｍｍＷシステムのみを介して信号を通信する。従って、ＬＴＥネットワークを介してｅＮＢ２０４にシグナリングすることができないＣＰ／ＢＳ／ｍｍＷ−ＢＳ２１２は、ｍｍＷバックホールリンクを通じてｅＮＢ２０４と通信し得る。
【００１９】
[0031]  アクセスネットワーク２００によって使用される変調および多元接続方式は、展開されている特定の電気通信規格に依存して異なり得る。ＬＴＥ適用例では、周波数分割複信（ＦＤＤ）および時分割複信（ＴＤＤ）の両方をサポートするためにＤＬ上ではＯＦＤＭが使用され、ＵＬ上ではＳＣ−ＦＤＭＡが使用される。後続する詳細な説明から当業者が容易に認識することになるように、本明細書において提示される様々な概念はＬＴＥ適用例に好適である。しかしながら、これらの概念は、他の変調および多元接続技法を使用する他の電気通信規格に容易に拡張され得る。例として、これらの概念は、エボリューション−データ・オプティテマイズド（ＥＶ−ＤＯ：Ｅｖｏｌｕｔｉｏｎ−Ｄａｔａ  Ｏｐｔｉｍｉｚｅｄ）またはウルトラモバイルブロードバンド（ＵＭＢ：Ｕｌｔｒａ  Ｍｏｂｉｌｅ  Ｂｒｏａｄｂａｎｄ）に拡張され得る。ＥＶ−ＤＯおよびＵＭＢは、規格のＣＤＭＡ２０００ファミリの一部として第３世代パートナーシッププロジェクト２（３ＧＰＰ２）によって公布されたエアインタフェース規格であり、移動局にブロードバンドインターネットアクセスを提供するためにＣＤＭＡを使用する。これらの概念はまた、ワイドバンド−ＣＤＭＡ（Ｗ−ＣＤＭＡ（登録商標））およびＴＤ−ＳＣＤＭＡのようなＣＤＭＡのその他の変形を使用するユニバーサル地上無線アクセス（ＵＴＲＡ）、ＴＤＭＡを使用するグローバル移動通信システム（ＧＳＭ（登録商標））、および、ＯＦＤＭＡを使用する発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、およびＦｌａｓｈ−ＯＦＤＭに対して拡張され得る。ＵＴＲＡ、Ｅ−ＵＴＲＡ、ＵＭＴＳ、ＬＴＥおよびＧＳＭは、３ＧＰＰ団体からの文書において記述される。ＣＤＭＡ２０００およびＵＭＢは、３ＧＰＰ２団体からの文書において記述される。使用される実際の無線通信規格および多元接続技術は、特定の適用例およびシステムに対して課せられている全体的設計制約に依存する。
【００２０】
[0032]ｅＮＢ２０４は、ＭＩＭＯ技術をサポートする複数本のアンテナを有し得る。ＭＩＭＯ技術の使用は、ｅＮＢ２０４が空間多重化、ビームフォーミング、および送信ダイバーシティをサポートするために空間領域を利用することを可能にする。空間多重化は、データの異なるストリームを同じ周波数で同時に送信するために使用され得る。データストリームは、データレートを増大させるために単一のＵＥ２０６にまたは全体的システム容量を増大させるために複数のＵＥ２０６に送信され得る。これは、各データストリームを空間的にプリコードし（すなわち、振幅および位相のスケーリングを適用し）、次に、ＤＬ上で複数本の送信アンテナを通じて各々の空間的にプリコードされたデータストリームを送信することによって達成される。空間的にプリコードされたデータストリームは、異なる空間シグナチャを有する状態でＵＥ２０６に到達し、このことは、ＵＥ２０６の各々がそのＵＥ２０６に向けられた１つまたは複数のデータストリームを復元することを可能にする。ＵＬ上では、各ＵＥ２０６は、空間的にプリコードされたデータストリームを送信し、このことは、ｅＮＢ２０４が各々の空間的にプリコードされたデータストリームのソースを特定することを可能にする。
【００２１】
[0033]空間多重化は、チャネル状態が良好であるときに概して使用される。チャネル状態がそれよりも好ましくないときは、送信エネルギーを１つまたは複数の方向に集中させるためにビームフォーミングが使用され得る。これは、複数本のアンテナを通じての送信のためにデータを空間的にプリコードすることによって達成される。セルの縁部で良好なカバレッジを達成するために、単一ストリームビームフォーミング送信が送信ダイバーシティと組み合わせて使用され得る。
【００２２】
[0034]後続する詳細な説明において、アクセスネットワークの様々な態様が、ＤＬ上でＯＦＤＭをサポートするＭＩＭＯシステムに関連して説明される。ＯＦＤＭは、ＯＦＤＭシンボル内の幾つかのサブキャリアにわたってデータを変調する拡散スペクトル技法である。サブキャリアは、正確な周波数で間隔をあけて配置される。間隔をあけた配置は、受信機がサブキャリアからデータを復元することを可能にする「直交性」を提供する。時間領域において、ＯＦＤＭシンボル間干渉に対処するためにガード間隔（例えば、サイクリックプリフィックス）が各ＯＦＤＭシンボルに加えられ得る。ＵＬは、高いピーク対平均電力比（ＰＡＰＲ）を補償するためにＤＦＴ拡散ＯＦＤＭ信号の形でＳＣ−ＦＤＭＡを使用し得る。
【００２３】
[0035]図３は、アクセスネットワークにおいてＵＥ３５０と通信状態にある基地局３１０のブロック図である。基地局３１０は、例えば、ＬＴＥシステムのｅＮＢ、ｍｍＷシステムのＣＰ／アクセスポイント／基地局、ＬＴＥシステムおよびｍｍＷシステムを介して信号を通信することが可能なｅＮＢ、またはＬＴＥシステムおよびｍｍＷシステムを介して信号を通信することが可能なＣＰ／アクセスポイント／基地局であり得る。ＵＥ３５０は、ＬＴＥシステムおよび／またはｍｍＷシステムを介して信号を通信することが可能であり得る。ＤＬ上で、コアネットワークからの上層パケットがコントローラ／プロセッサ３７５に提供される。ＤＬ上で、コントローラ／プロセッサ３７５は、ヘッダ圧縮、符号化、パケットセグメンテーションと順序再設定、論理チャネルとトランスポートチャネルとの間での多重化、および、様々な優先度メトリックに基づいたＵＥ３５０への無線リソース割り振りを提供する。コントローラ／プロセッサ３７５はまた、ＨＡＲＱ動作、失われたパケットの再送信、および、ＵＥ３５０へのシグナリングを担う。
【００２４】
[0036]送信（ＴＸ）プロセッサ３１６は、様々な信号処理機能を実装する。信号処理機能は、ＵＥ３５０における前方誤り訂正（ＦＥＣ）を容易にするためのコーディングおよびインターリービングと、様々な変調方式（例えば、２位相偏移変調（ＢＰＳＫ）、直交位相偏移変調（ＱＰＳＫ）、Ｍ位相偏移変調（Ｍ−ＰＳＫ）、Ｍ直交振幅変調（Ｍ−ＱＡＭ））に基づいて信号点配置にマッピングすることと、を含む。コーディングおよび変調されたシンボルは、平行するストリームに分割される。各ストリームは、ＯＦＤＭサブキャリアにマッピングされ、時間領域および／または周波数領域において基準信号（例えば、パイロット）と多重化され、次に、時間領域ＯＦＤＭシンボルストリームを搬送する物理チャネルを生成するために逆高速フーリエ変換（ＩＦＦＴ）を使用してまとめて結合される。ＯＦＤＭストリームは、複数の空間ストリームを生成するために空間的にプリコードされる。チャネル推定器３７４からのチャネル推定値は、コーディングおよび変調方式を決定するために、および空間的処理のために使用され得る。チャネル推定値は、ＵＥ３５０によって送信された基準信号および／またはチャネル状態フィードバックから導き出され得る。各空間ストリームは、別個の送信機３１８ＴＸを介して異なるアンテナ３２０に提供され得る。各送信機３１８ＴＸは、送信のために各々の空間ストリームとともにＲＦキャリアを変調し得る。
【００２５】
[0037]ＵＥ３５０において、各受信機３５４ＲＸは、その各々のアンテナ３５２を通じて信号を受信する。各受信機３５４ＲＸは、ＲＦ搬送波上に変調された情報を復元し、受信（ＲＸ）プロセッサ３５６にその情報を提供する。ＲＸプロセッサ３５６は、様々な信号処理機能を実装する。ＲＸプロセッサ３５６は、ＵＥ３５０に向けられたあらゆる空間ストリームを復元するために情報に関する空間的処理を行い得る。複数の空間ストリームがＵＥ３５０向けである場合は、それらは、ＲＸプロセッサ３５６によって単一のＯＦＤＭシンボルストリームに結合され得る。次に、ＲＸプロセッサ３５６は、高速フーリエ変換（ＦＦＴ）を使用してＯＦＤＭシンボルストリームを時間領域から周波数領域に変換する。周波数領域信号は、ＯＦＤＭ信号の各サブキャリアに関して別々のＯＦＤＭシンボルストリームを備える。各サブキャリア上のシンボル、および基準信号は、基地局３１０によって送信された最も可能性が高い信号点配置点を決定することによって復元および復調される。これらのソフト決定（ｓｏｆｔ  ｄｅｃｉｓｉｏｎ）は、チャネル推定器３５８によって計算されたチャネル推定値に基づき得る。次に、ソフト決定は、物理チャネル上で基地局３１０によって最初に送信されたデータおよび制御信号を復元するために復号およびデインターリーブされる。次に、データおよび制御信号は、コントローラ／プロセッサ３５９に提供される。
【００２６】
[0038]コントローラ／プロセッサ３５９は、プログラムコードおよびデータを格納するメモリ６６０と関連させることができる。メモリ３６０は、コンピュータ可読媒体と呼ばれ得る。ＤＬ上において、コントローラ／プロセッサ３５９は、トランスポートチャネルと論理チャネルとの間での多重化解除、パケットリアセンブリ、復号、ヘッダ圧縮解除、コアネットワークから上層パケットを復元するための制御信号処理を提供する。次に、上層パケットは、データシンク３６２に提供される。様々な制御信号もまたデータシンク３６２に提供され得る。コントローラ／プロセッサ３５９はまた、ＨＡＲＱ動作をサポートするための肯定応答（ＡＣＫ）および／または否定応答（ＮＡＣＫ）プロトコルを使用した誤り検出を担う。
【００２７】
[0039]ＵＬ上において、コントローラ／プロセッサ３５９に上層パケットを提供するためにデータソース３６７が使用される。基地局３１０によるＤＬ送信に関連して説明される機能と同様に、コントローラ／プロセッサ３５９は、基地局３１０による無線リソース割り振りに基づいてヘッダ圧縮、符号化、パケットセグメンテーションと順序再設定、および論理チャネルとトランスポートチャネルとの間での多重化を提供する。コントローラ／プロセッサ３５９はまた、ＨＡＲＱ動作、失われたパケットの再送信、およびｅＮＢ６１０へのシグナリングを担う。
【００２８】
[0040]基地局３１０によって送信された基準信号またはフィードバックからチャネル推定器３５８によって導き出されたチャネル推定値は、該当するコーディングおよび変調方式を選択するために、および空間処理を容易にするためにＴＸプロセッサ３６８によって使用され得る。ＴＸプロセッサ３６８によって生成された空間ストリームは、別々の送信機３５４ＴＸを介して異なるアンテナ３５２に提供され得る。各送信機３５４ＴＸは、送信のために各々の空間ストリームとともにＲＦキャリアを変調し得る。
【００２９】
[0041]ＵＬ送信は、ＵＥ３５０における受信機機能に関連して説明される方法と同様のそれで基地局３１０において処理される。各受信機３１８ＲＸは、それの各々のアンテナ３２０を通じて信号を受信する。各受信機３１８ＲＸは、ＲＦキャリア上に変調された情報を復元し、ＲＸプロセッサ３７０にその情報を提供する。
[0042]  コントローラ／プロセッサ３７５は、プログラムコードおよびデータを格納するメモリ３７６と関連されることができる。メモリ３７６は、コンピュータ可読媒体と呼ばれ得る。ＵＬにおいて、制御／プロセッサ３７５は、ＵＥ３５０から上層パケットを復元するためにトランスポートチャネルと論理チャネルとの間での多重化解除、パケットリアセンブリ、復号、ヘッダ圧縮、制御信号処理を提供する。コントローラ／プロセッサ３７５はまた、ＨＡＲＱ動作をサポートするためのＡＣＫおよび／またはＮＡＣＫプロトコルを使用した誤り検出を担う。
【００３０】
[0043]図４は、デバイス・ツー・デバイス通信システム４００の概略図である。デバイス・ツー・デバイス通信システム４００は、複数の無線デバイス４０４、４０６、４０８、４１０を含む。デバイス・ツー・デバイス通信システム４００は、例えば、ワイヤレスワイドエリアネットワーク（ＷＷＡＮ）のようなセルラー通信システムと重複し得る。無線デバイス４０４、４０６、４０８、４１０の一部は、ＤＬ／ＵＬ  ＷＷＡＮスペクトルを使用してデバイス・ツー・デバイス通信でいっしょに通信し得、幾つかは、基地局４０２と通信し得、および、幾つかは、両方を行い得る。例えば、図４において示されるように、無線デバイス４０８、４１０は、デバイス・ツー・デバイス通信状態にあり、無線デバイス４０４、４０６は、デバイス・ツー・デバイス通信状態にある。無線デバイス４０４、４０６はまた、基地局４０２と通信中である。
【００３１】
[0044]以下において論じられる例示的な方法および装置は、例えば、ＩＥＥＥ８０２．１１規格に基づくＦｌａｓｈＬｉｎＱ、ＷｉＭｅｄｉａ、Ｂｌｕｅｔｏｏｔｈ（登録商標）、ＺｉｇＢｅｅ、またはＷｉ−Ｆｉに基づくワイヤレスデバイス・ツー・デバイス通信システムのような様々なワイヤレスデバイス・ツー・デバイス通信システムのうちのいずれにも適用可能である。議論を単純化するために、例示的な方法および装置は、ＬＴＥに関して論じられる。しかしながら、例示的な方法および装置は、様々な他のワイヤレスデバイス・ツー・デバイス通信システムに対してより概して適用可能であることを当業者は理解するであろう。
【００３２】
[0045]（ｍｍＷアクセスシステムとも呼ばれる）ｍｍＷ通信システムは、キャリア波長が約数ミリメートルである超高周波数帯域（例えば、１０．０ＧＨｚ乃至３００．０ＧＨｚ）で動作し得る。そのようなｍｍＷ通信システムは、低周波数キャリアシステム（例えば、６．０ＧＨｚ未満）と比較して非常に多数のアンテナが所定のエリアにおいてパックされることを可能にし得る。一態様において、ｍｍＷ−ＢＳとＵＥとの間でのｍｍＷ通信システムにおけるデータやり取りは、ビームフォーミング方式の使用を通じて達成され得る。例えば、ビームフォーミング方式は、複数のアンテナから累積されたアレイ利得を提供する物理的動機の（ｐｈｙｓｉｃａｌｌｙ−ｍｏｔｉｖａｔｅｄ）指向性ステアリングを実行するための方法であり得る。
【００３３】
[0046] ｍｍＷ通信システムにおいてデータやり取りを開始するために、ＵＥは、ＵＥの近傍におけるすべてのｍｍＷ−ＢＳを発見することおよび信号品質または他のＵＥ固有の考慮事項に基づいてｍｍＷ−ＢＳと関連させることが必要になり得る。一態様において、ＵＥとｍｍＷ−ＢＳとの間での（同期化プロシージャまたはビーム探索プロシージャとも呼ばれる）関連付けプロシージャは、プライマリ同期信号（ＰＳＳ）およびセカンダリ同期信号（ＳＳＳ）のような適切に定義された信号の組を有する、ランダムアクセスチャネル（ＲＡＣＨ）のような特定のチャネル上で送信するＵＥによって達成され得る。例えば、ＵＥとｍｍＷ−ＢＳとの間での同期化プロセスは、ＵＥがセルフレームタイミング、キャリア周波数オフセット、ＯＦＤＭシンボルタイミング、および／またはセルｉｄのような対象となる情報を得ることを可能にし得る。
【００３４】
[0047]低周波数通信システム（例えば、ＬＴＥワイヤレス通信システム）では、ＲＡＣＨプロセスで使用される信号は固定されており、物理的環境と関係を有さないまたは依存しない。しかしながら、ｍｍＷワイヤレス通信システムでは、シグナリングの指向性性質は、ＵＥとｍｍＷ−ＢＳとの間のＲＡＣＨチャネル上で指向性ランダムアクセスプロシージャが実行されることを要求し得る。例えば、ｍｍＷ−ＢＳは、マスタ情報ブロック（ＭＩＢ）を通じて予め定義されたビーム方向に対応するセクタ／ビームフォーミングベクタインデックスを送信し得る。ＵＥは、ＵＥがビームを送信または受信するための好ましい方向を決定するときにアップリンク上でＲＡＣＨ信号を送信し得る。
【００３５】
[0048]一態様において、ｍｍＷ通信システムにおけるｍｍＷ−ＢＳおよびＵＥは、（非対称的能力とも呼ばれる）異なる能力を有し得る。例えば、ｍｍＷ−ＢＳおよびＵＥは、異なる本数のアンテナ、異なる数のアンテナサブアレイ、異なるタイプのサブアレイ（線形、平面、等）、異なるビームフォーマアーキテクチャタイプ（例えば、デジタル、アナログ／ＲＦ、ハイブリッド）、および／または異なる送信電力を有し得る。以下において論じられるように、ｍｍＷ−ＢＳとＵＥとの間の能力のそのような差は、ランダムアクセスプロシージャを効率的に実装するために利用され得る。
【００３６】
[0049]別の態様において、第１のＵＥ（例えば、無線デバイス４０４）および第２のＵＥ（例えば、無線デバイス４０６）は、ｍｍＷシステムにおけるデバイス・ツー・デバイス通信のために構成され得、および、異なる能力を有し得る。例えば、第１のＵＥおよび第２のＵＥは、異なる本数のアンテナ、異なる数のアンテナサブアレイ、異なるタイプのサブアレイ（線形、平面、等）、異なるビームフォーマアーキテクチャタイプ（例えば、デジタル、アナログ／ＲＦ、ハイブリッド）、および／または異なる送信電力を有し得る。第１のＵＥと第２のＵＥとの間の能力のそのような差は、第１のＵＥと第２のＵＥとの間でＲＡＣＨプロシージャを効率的に実装するために利用され得る。
【００３７】
[0050]図５は、ｍｍＷ通信システム５００の例を示した概略図である。ｍｍＷ通信システム５００は、ＵＥ５０２と、ｍｍＷ−ＢＳ５０４と、を含む。一態様において、ＵＥ５０２およびｍｍＷ−ＢＳ５０４は、通信リンクを確立するために同期化プロシージャおよび発見を実行し得る。例えば、ＵＥ５０２およびｍｍＷ−ＢＳ５０４は、表面５２２から反射する経路５０６に沿って通信リンクを確立し得る。
【００３８】
[0051]一態様において、ＵＥ５０２および／またはｍｍＷ−ＢＳ５０４は、同期化プロシージャを容易にし得る１つまたは複数のビームフォーミング能力を有し得る。一態様において、ビームフォーミング能力は、ｍｍＷ通信システム５００における１つのデバイスがｍｍＷ通信システム５００における別のデバイスよりも多くの本数のアンテナを有することであり得る。例えば、ｍｍＷ−ＢＳ５０４は、ＵＥ５０２よりも多くの本数のアンテナを有し得る。ＵＥ５０２とｍｍＷ−ＢＳ５０４との間でのアンテナの本数のこの差は、ｍｍＷ−ＢＳ５０４が、ビームの各々の方向を学習するためにＵＥ５０２よりも多くのタイムスロット内の方向および／またはセクタを通じてスキャンすることを可能にし得る。例えば、ｍｍＷ−ＢＳ５０４は、ＵＥ５０２が所定のタイムスロットにおいてその可能なビームフォーミング角度（例えば、ビーム５１６、５１８、および／または５２０に対応する角度）の各々をスキャンすることができるよりも高速でその可能なビームフォーミング角度（例えば、ビーム５０８、５１０、および／または５１２に対応する角度）の各々をスキャンするためにそのより多い本数のアンテナを使用し得る。
【００３９】
[0052]一態様において、ビームフォーミング能力は、アナログビームフォーミング能力であり得る。例えば、ｍｍＷ−ＢＳ５０４は、ｍｍＷ−ＢＳ５０４が一度に１つの利用可能なＲＦチェーンを通じて単一のビーム（例えば、経路５０６に沿ったビーム５１２）を送信することを可能にし得るアナログビームフォーミング能力を有し得る。用語ＲＦチェーンは、モデムの送信側に言及するときには電力増幅器、デジタル−アナログ変換器、およびミキサの組み合わせ、モデムの受信機側に言及するときには低雑音増幅器、デミキサ、およびアナログ−デジタル変換器の組み合わせ、を意味する。一態様において、ビームフォーミング能力は、デジタルビームフォーミング能力であり得る。例えば、ｍｍＷ−ＢＳ５０４は、アンテナの本数と同じ数のＲＦチェーンに対応するデジタルビームフォーミング能力を有し得、それは、ｍｍＷ−ＢＳ５０４が各ビームのピーク利得を犠牲にして複数の方向に電磁エネルギーを放出することによって複数のビーム（例えば、ビーム５１０および５１２）を同時に送信することを可能にし得る。一態様において、ビームフォーミング能力は、ハイブリッドビームフォーミング能力であり得る。一態様において、ハイブリッドビームフォーミング能力は、複数のＲＦチェーンを含めるようにデバイスを構成することによって達成され得、ここで、複数のＲＦチェーンの数は、デバイスのアンテナの本数よりも少ない。例えば、ｍｍＷ−ＢＳ５０４は、ｍｍＷ−ＢＳ５０４のＲＦチェーンの各々からビームを送信することによってハイブリッドビームフォーミング能力を適用し得る。一態様において、ＵＥにおけるビームフォーミング能力は、複数のアンテナサブアレイの利用可能性であり得る。例えば、ＵＥ５０２は、ビームの経路を誤って遮断し得るユーザの手、指、または体のようなＲＦ障害物を克服するために複数のアンテナサブアレイを有し得る。このサブアレイダイバーシティは、ＵＥ５０２がアンテナサブアレイの各々からのビームを異なる方向（例えば、ビーム５１８および５２０の各々の方向）に送信することを可能にする。
【００４０】
[0053]一態様において、ＵＥ５０２は、Ｎ本の数のアンテナを有し得、および、ｍｍＷ−ＢＳ５０４は、ＮＫ本の数のアンテナを有し得、ここで、Ｋ＞１である。そのような態様において、ｍｍＷ−ＢＳ５０４は、ＵＥ５０２よりも係数Ｋだけ多くの本数のアンテナを有するという点でビームフォーミング能力を有する。従って、ｍｍＷ−ＢＳ５０４は、所定の期間の間にＵＥ５０２よりも多くの方向にわたってビームを探索し得る。別の態様において、ｍｍＷ−ＢＳ５０４は、ＮＢの数のセクタをスキャンし得、および、ＵＥ５０２は、ＮＵの数のセクタをスキャンし得、ここで、ＮＢ＞ＮＵである。
【００４１】
[0054]一態様において、ＵＥ５０２は、ＵＥ５０２に関連するビームフォーミング能力情報および／またはｍｍＷ−ＢＳ５０４に関連するビームフォーミング能力情報に基づいてビーム探索プロシージャおよびＵＥ５０２とｍｍＷ−ＢＳ５０４との間の適切なシグナリングフレームワークを決定し得る。一態様において、ＵＥ５０２およびｍｍＷ−ＢＳ５０４は、ｍｍＷ帯域外でビームフォーミング能力情報をやり取りし得る。例えば、ｍｍＷ−５０４がデジタルビームフォーミング能力を有するかまたはＵＥ５０２が多アンテナサブアレイ能力を有するかに依存してビーム探索プロシージャ（例えば、ＲＡＣＨプロセス）のための２つの異なるフレーム構造がＵＥ５０２によって利用可能であり得る。そのような例において、ＵＥ５０２は、ｍｍＷ−ＢＳ５０４のデジタルビームフォーミング能力が利用されるか（例えば、ビットが「１」に設定される）またはｍｍＷ−ＢＳ５０４のデジタルビームフォーミング能力が利用されないか（例えば、ビットが「０」に設定される）をＵＥ５０２が決定するのを可能にするビットをｍｍＷ−ＢＳ５０４から受信し得る。第１のシナリオにおいて、ビットが「１」に設定されている場合は、ｍｍＷ−ＢＳ５０４は、そのデジタルビームフォーマを使用して方向ｉおよびｊに沿って同時にビームフォーミング（例えば、同時に複数のビームを送信または受信）し得る。第２のシナリオにおいて、ビットが「０」に設定されている場合は、ｍｍＷ−ＢＳ５０４は、最初に方向ｉに沿って、次に方向ｊに沿って、ビームフォーミング（例えば、一度に単一のビームを送信または受信）し得る。一態様において、これらのシナリオのいずれにおいても、ＵＥ５０２は、ｍｍＷ−ＢＳ５０４の能力を知らないことがあり得、ＲＡＣＨプロセスを完了させるためにすべてのその方向に沿ってビームフォーミングし得る。一態様において、ＵＥ５０２が多サブアレイ能力を有する場合、ＵＥ５０２は、ＲＡＣＨプロセスを完了させるために要求される時間を短縮するために２つの異なる方向に沿ってビームフォーミングし得る。
【００４２】
[0055]図６は、ＵＥ５０２およびｍｍＷ−ＢＳ５０４のスキャン動作に関するフレーム構造例６００を示した概略図である。図６の態様において、ＵＥ５０２およびｍｍＷ−ＢＳ５０４は、単一のＲＦチェーンを各々有し得る。図６において示されるように、ＵＥ５０２は、幾つかのタイムスロット（例えば、スロット１  ６０２、スロット２  ６０４、．．．、スロットＰ  ６０６）の各々の間に単一の方向（例えば、方向「Ｄ１」にビームを送信し得る。図６においてさらに示されるように、ｍｍＷ−ＢＳ５０４は、ＵＥ５０２からのビームのための最良の経路を決定するために対応するタイムスロット（例えば、スロット１  ６０２、スロット２  ６０４、．．．、スロットＰ  ６０６）の各々の間にそのＰの数の可能な方向（例えば、方向「Ｄ１」乃至「ＤＰ」）の各々をスキャンし得る。例えば、タイムスロット（例えば、スロット１  ６０２、スロット２  ６０４、．．．、スロットＰ  ６０６）の各々は、同じ継続時間を有し得る。そのような例において、図６におけるスキャン期間１の継続時間は、ｍｍＷ−ＢＳ５０４がそのＰの方向の各々をスキャンするために要求されるＰのタイムスロットの合計に相当し得る。
【００４３】
[0056]ＵＥ５０２は、引き続き別の方向（例えば、方向「Ｄ２」）にビームを送信し得、他方、ｍｍＷ−ＢＳ５０４は、ＵＥ５０２からのビームのための最良の経路を決定するためにそのＰの数の可能な方向の各々をスキャンする。図６において示されるように、ＵＥ５０２は、幾つかのタイムスロット（例えば、スロット１  ６０８、スロット２  ６１０、．．．、スロットＰ  ６１２）の各々の間に単一の方向（例えば、方向「Ｄ２」）にビームを送信し得る。図６においてさらに示されるように、ｍｍＷ−ＢＳ５０４は、ＵＥ５０２からのビームのための最良の経路を決定するために対応するタイムスロット（例えば、スロット１  ６０８、スロット２  ６１０、．．．、スロットＰ  ６１２）の各々の間にそのＰの数の可能な方向（例えば、方向「Ｄ１」乃至「ＤＰ」）の各々をスキャンし得る。例えば、タイムスロット（例えば、スロット１  ６０８、スロット２  ６１０、．．．、スロットＰ  ６１２）の各々は、同じ継続時間を有し得る。そのような例において、図６におけるスキャン期間２の継続時間は、ｍｍＷ−ＢＳ５０４がそのＰの方向の各々をスキャンするために要求されるＰのタイムスロットの合計に相当し得る。
【００４４】
[0057]ＵＥ５０２は、図６のスキャン期間１および２に関して前述された送信と同様の方法でＵの数の可能な方向のうちの最後の方向にビームを送信し得る。例えば、ＵＥ５０２は、対応するタイムスロット（例えば、スロット１  ６１４、スロット２  ６１６、．．．、スロットＰ  ６１８）の各々の間にその可能な方向のうちの最後の方向（例えば、方向「ＤＵ」）にビームを送信し得る。図６においてさらに示されるように、ｍｍＷ−ＢＳ５０４は、ＵＥ５０２からのビームのための最良の経路を決定するために対応するタイムスロット（例えば、スロット１  ６１４、スロット２  ６１６、．．．、スロットＰ  ６１８）の各々の間にそのＰの数の可能な方向（例えば、方向「Ｄ１」乃至「ＤＰ」）の各々をスキャンし得る。例えば、タイムスロット（例えば、スロット１  ６１４、スロット２  ６１６、．．．、スロットＰ  ６１８）の各々は、同じ継続時間を有し得る。そのような例において、図６におけるスキャン期間Ｕの継続時間は、ｍｍＷ−ＢＳ５０４がそのＰの方向の各々をスキャンするために要求されるＰのタイムスロットの合計に相当し得る。
【００４５】
[0058]図７は、ＵＥ５０２およびｍｍＷ−ＢＳ５０４のスキャン動作に関するフレーム構造例７００を示した概略図である。図７の態様において、ＵＥ５０２およびｍｍＷ−ＢＳ５０４は、単一のＲＦチェーンを各々有し得る。図７において示されるように、ｍｍＷ−ＢＳ５０４は、幾つかのタイムスロット（例えば、スロット１  ７０２、スロット２  ７０４、．．．、スロットＵ  ７０６）の各々の間に単一の方向（例えば、方向「Ｄ１」）にビームを送信し得る。図７においてさらに示されるように、ＵＥ５０２は、ｍｍＷ−ＢＳ５０４からのビームのための最良の経路を決定するために対応するタイムスロット（例えば、スロット１  ７０２、スロット２  ７０４、．．．、スロットＵ  ７０６）の各々の間にそのＵの数の可能な方向（例えば、方向「Ｄ１」乃至「ＤＵ」）の各々をスキャンし得る。例えば、タイムスロット（例えば、スロット１  ７０２、スロット２  ７０４、．．．、スロットＵ  ７０６）の各々は、同じ継続時間を有し得る。そのような例において、図７におけるスキャン期間１の継続時間は、ＵＥ５０２がそのＵの方向の各々をスキャンするために要求されるＵのタイムスロットの合計に相当し得る。
【００４６】
[0059]ｍｍＷ−ＢＳ５０４は、引き続き別の方向（例えば、方向「Ｄ２」）にビームを送信し得、他方、ＵＥ５０２は、ｍｍＷ−ＢＳ５０４からのビームのための最良の経路を決定するためにそのＵの数の可能な方向の各々をスキャンする。図７において示されるように、ｍｍＷ−ＢＳ５０４は、幾つかのタイムスロット（例えば、スロット１  ７０８、スロット２  ７１０、．．．、スロットＵ  ７１２）の各々の間に単一の方向（例えば、方向「Ｄ２」）にビームを送信し得る。図７においてさらに示されるように、ＵＥ５０２は、ｍｍＷ−ＢＳ５０４からのビームのための最良の経路を決定するために対応するタイムスロット（例えば、スロット１  ７０８、スロット２  ７１０、．．．、スロットＵ  ７１２）の各々の間にそのＵの数の可能な方向（例えば、方向「Ｄ１」乃至「ＤＵ」）の各々をスキャンし得る。例えば、タイムスロット（例えば、スロット１  ７０８、スロット２  ７１０、．．．、スロットＵ  ７１２）の各々は、同じ継続時間を有し得る。そのような例において、図７におけるスキャン期間２の継続時間は、ＵＥ５０２がそのＵの方向の各々をスキャンするために要求されるＵのタイムスロットの合計に相当し得る。
【００４７】
[0060]ｍｍＷ−ＢＳ５０４は、図７のスキャン期間１および２に関して前述された送信と同様の方法でそのＰの数の可能な方向のうちの最後の方向にビームを送信し得る。例えば、ｍｍＷ−ＢＳ５０４は、対応するタイムスロット（例えば、スロット１  ７１４、スロット２  ７１６、．．．、スロットＵ  ７１８）の各々の間にその可能な方向のうちの最後の方向（例えば、方向「ＤＰ」）にビームを送信し得る。図７においてさらに示されるように、ＵＥ５０２は、ｍｍＷ−ＢＳ５０４からのビームのための最良の経路を決定するために対応するタイムスロット（例えば、スロット１  ７１４、スロット２  ７１６、．．．、スロットＵ  ７１８）の各々の間にそのＵの数の可能な方向（例えば、方向「Ｄ１」乃至「ＤＵ」）の各々をスキャンし得る。例えば、タイムスロット（例えば、スロット１  ７１４、スロット２  ７１６、．．．、スロットＵ  ７１８）の各々は、同じ継続時間を有し得る。そのような例において、図７におけるスキャン期間Ｐの継続時間は、ＵＥ５０２がそのＵの方向の各々をスキャンするために要求されるＵのタイムスロットの合計に相当し得る。
【００４８】
[0061]一態様において、ｍｍＷ−ＢＳ５０４のＲＦビーム切り換え速度がＵＥ５０２のＲＦビーム切り換え速度よりも速いシナリオでは図６におけるフレーム構造６００が図７におけるフレーム構造７００よりも優先され得る。代替として、ＵＥ５０２のＲＦビーム切り換え速度がｍｍＷ−ＢＳ５０４のＲＦビーム切り換え速度よりも速いシナリオでは図７におけるフレーム構造７００が図６におけるフレーム構造６００よりも優先され得る。
【００４９】
[0062]図８は、ＵＥ５０２およびｍｍＷ−ＢＳ５０４に関するスキャン動作例を示したフレーム構造８００である。図８の一態様において、ＵＥ５０２は、複数のアンテナサブアレイ（例えば、２つのアンテナサブアレイ）を有し得、および、ｍｍＷ−ＢＳ５０４は、単一のＲＦチェーンを有し得る。従って、ＵＥ５０２の複数のアンテナサブアレイは、ＵＥ５０２が１つのタイムスロットにおいて複数のビームを同時に送信することを可能にし得る。図８の例において、ＵＥ５０２は、ＵＥ５０２が１つのタイムスロットにおいて２つの異なる方向に２つのビームを同時に送信することを可能にする２つのアンテナサブアレイによって構成され得る。例えば、ＵＥ５０２から送信された各ビームは、対応するアップリンクＲＡＣＨ信号を含み得る。
【００５０】
[0063]図８において示されるように、ＵＥ５０２は、幾つかのタイムスロット（例えば、スロット１  ８０２、スロット２  ８０４、．．．、スロットＰ  ８０６）の各々の間に２つの異なる方向に２つのビーム（例えば、方向「Ｄ１」に第１のビームおよび方向「Ｄ２」に第２のビーム）を同時に送信し得る。図８においてさらに示されるように、ｍｍＷ−ＢＳ５０４は、ＵＥ５０２からのビームのための最良の経路を決定するために対応するタイムスロット（例えば、スロット１  ８０２、スロット２  ８０４、．．．、スロットＰ  ８０６）の各々の間にそのＰの数の可能な方向（例えば、方向「Ｄ１」乃至「ＤＰ」）の各々をスキャンし得る。例えば、タイムスロットの各々は、同じ継続時間を有し得る。そのような例において、図８におけるスキャン期間１の継続時間は、ｍｍＷ−ＢＳ５０４がそのＰの方向の各々をスキャンするために要求されるＰのタイムスロットの合計に相当し得る。従って、ビームフォーミング能力は、ＵＥが次の組の方向（例えば、「Ｄ３」および「Ｄ４」）に関してビームを送信するのをいつ開始すべきかを決定するためにｍｍＷ−ＢＳのスキャン期間の長さの指示を含み得る。
【００５１】
[0064]次に、ＵＥ５０２は、２つの他の方向に２つのビーム（例えば、方向「Ｄ３」に第３のビームおよび方向「Ｄ４」に第４のビーム）を同時に送信し得、他方、ｍｍＷ−ＢＳ５０４は、ＵＥ５０２からのビームのための最良の経路を決定するためにそのＰの数の可能な方向の各々をスキャンする。図８において示されるように、ＵＥ５０２は、幾つかのタイムスロット（例えば、スロット１  ８０８、スロット２  ８１０、．．．、スロットＰ  ８１２）の各々の間に異なる方向（例えば、方向「Ｄ３」および方向「Ｄ４」）に２つのビームを同時に送信し得る。図８においてさらに示されるように、ｍｍＷ−ＢＳ５０４は、ＵＥ５０２からのビームのための最良の経路を決定するために対応するタイムスロット（例えば、スロット１  ８０８、スロット２  ８１０、．．．、スロットＰ  ８１２）の各々の間にそのＰの数の可能な方向（例えば、方向「Ｄ１」乃至「ＤＰ」）の各々をスキャンし得る。例えば、タイムスロットの各々は、同じ継続時間を有し得る。そのような例において、図８におけるスキャン期間２の継続時間は、ｍｍＷ−ＢＳ５０４がそのＰの方向の各々をスキャンするために要求されるＰのタイムスロットの継続時間に相当し得る。
【００５２】
[0065]ＵＥ５０２は、図８のスキャン期間１および２に関して前述された送信と同様の方法でそのＵの数の可能な方向のうちの最後の２つの方向にビームを送信し得る。例えば、ＵＥ５０２は、対応するタイムスロット（例えば、スロット１  ８１４、スロット２  ８１６、．．．、スロットＰ  ８１８）の各々の間にその可能な方向のうちの最後の方向（例えば、方向「ＤＵ−１」および「ＤＵ」）にビームを同時に送信し得る。図８においてさらに示されるように、ｍｍＷ−ＢＳ５０４は、ＵＥ５０２からのビームのための最良の経路を決定するために対応するタイムスロット（例えば、スロット１  ８１４、スロット２  ８１６、．．．、スロットＰ  ８１８）の各々の間にそのＰの数の可能な方向（例えば、方向「Ｄ１」乃至「ＤＰ」）の各々をスキャンし得る。例えば、タイムスロットの各々は、同じ継続時間を有し得る。そのような例において、図８におけるスキャン期間Ｕ／２の継続時間は、ｍｍＷ−ＢＳ５０４がそのＰの方向の各々をスキャンするために要求されるＰのタイムスロットの合計に相当し得る。
【００５３】
[0066]図８の態様において、（遮断される可能性が最も高いアンテナサブアレイに関して）より頻繁に使用されるＵＥ５０２のアンテナサブアレイに対応するためにアップリンクＲＡＣＨ信号の構造を整合させることによって、ｍｍＷ−ＢＳ５０４からＵＥ５０２へのリンクは最低の損失でおよびより高い確率で確立され得るため、同期化プロシージャを完了させるために要求される時間は短縮され得る。
【００５４】
[0067]図９は、ＵＥ５０２およびｍｍＷ−ＢＳ５０４に関するスキャン動作例を示したフレーム構造９００である。一態様において、ｍｍＷ−ＢＳ５０４は、ＮＫの数のＲＦチェーンを有するデジタルビームフォーミング能力を有し得、および、ＵＥ５０２は、１つのＲＦチェーン（例えば、ＵＥ５０２は、アナログ／ＲＦビームフォーマを有する）または多くても２つのＲＦチェーン（例えば、ＵＥ５０２は、ハイブリッドビームフォーマを有する）を有し得る。図９の構成例において、ｍｍＷ−ＢＳ５０４は、ｍｍＷ−ＢＳ５０４が１つのタイムスロットにおいて２つの異なる方向に２つのビームを同時に送信することを可能にする２つのＲＦチェーンを有するデジタルビームフォーミング能力を有する。
【００５５】
[0068]図９において示されるように、ｍｍＷ−ＢＳ５０４は、幾つかのタイムスロット（例えば、スロット１  ９０２、スロット２  ９０４、．．．、スロットＰ  ９０６）の各々の間に２つの異なる方向に２つのビーム（例えば、方向「Ｄ１」に第１のビームおよび方向「Ｄ２」に第２のビーム）を同時に送信し得る。図９においてさらに示されるように、ＵＥ５０２は、ｍｍＷ−ＢＳ５０４からのビームのための最良の経路を決定するために対応するタイムスロット（例えば、スロット１  ９０２、スロット２  ９０４、．．．、スロットＵ  ９０６）の各々の間にそのＵの数の可能な方向（例えば、方向「Ｄ１」乃至「ＤＵ」）の各々をスキャンし得る。例えば、タイムスロットの各々は、同じ継続時間を有し得る。そのような例において、図９におけるスキャン期間１の継続時間は、ＵＥ５０２がそのＵの方向の各々をスキャンするために要求されるＵのタイムスロットの合計に相当し得る。従って、ビームフォーミング能力は、ｍｍＷ−ＢＳが次の組の方向（例えば、「Ｄ３」および「Ｄ４」）に関してビームを送信するのをいつ開始すべきかを決定するためにＵＥのスキャン期間の長さの指示を含み得る。
【００５６】
[0069]次に、ｍｍＷ−ＢＳ５０４は、２つの他の方向に２つのビーム（例えば、方向「Ｄ３」に第３のビームおよび方向「Ｄ４」に第４のビーム）を同時に送信し得、他方、ＵＥ５０２は、ｍｍＷ−ＢＳ５０４からのビームのための最良の経路を決定するためにそのＵの数の可能な方向の各々をスキャンする。図９において示されるように、ｍｍＷ−ＢＳ５０４は、幾つかのタイムスロット（例えば、スロット１  ９０８、スロット２  ９１０、．．．、スロットＵ  ９１２）の各々の間に異なる方向（例えば、方向「Ｄ３」および方向「Ｄ４」）に２つのビームを同時に送信し得る。図９においてさらに示されるように、ＵＥ５０２は、ｍｍＷ−ＢＳ５０４からのビームのための最良の経路を決定するために対応するタイムスロット（例えば、スロット１  ９０８、スロット２  ９１０、．．．、スロットＰ  ９１２）の各々の間にそのＵの数の可能な方向（例えば、方向「Ｄ１」乃至「ＤＵ」）の各々をスキャンし得る。例えば、タイムスロットの各々は、同じ継続時間を有し得る。そのような例において、図９におけるスキャン期間２の継続時間は、ＵＥ５０２がそのＵの方向の各々をスキャンするために要求されるＵのタイムスロットの継続時間に相当し得る。
【００５７】
[0070]ｍｍＷ−ＢＳ５０４は、図９のスキャン期間１および２に関して前述された送信と同様の方法でそのＰの数の可能な方向のうちの最後の２つの方向にビームを送信し得る。例えば、ｍｍＷ−ＢＳ５０４は、対応するタイムスロット（例えば、スロット１  ９１４、スロット２  ９１６、．．．、スロットＵ  ９１８）の各々の間にその可能な方向のうちの最後の方向（例えば、方向「ＤＰ−１」および「ＤＰ」）に２つのビームを同時に送信し得る。図９においてさらに示されるように、ＵＥ５０２は、ｍｍＷ−ＢＳ５０４からのビームのための最良の経路を決定するために対応するタイムスロット（例えば、スロット１  ９１４、スロット２  ９１６、．．．、スロットＰ  ９１８）の各々の間にそのＵの数の可能な方向（例えば、方向「Ｄ１」乃至「ＤＵ」）の各々をスキャンし得る。例えば、タイムスロットの各々は、同じ継続時間を有し得る。そのような例において、図９におけるスキャン期間Ｐ／２の継続時間は、ＵＥ５０２がそのＵの方向の各々をスキャンするために要求されるＵのタイムスロットの合計に相当し得る。
【００５８】
[0071]図６および図８に関連し、１つのＲＦチェーンによって構成されたＵＥ５０２は、４つの可能な方向（例えば、Ｕ＝４）にビームを送信し、ＵＥ５０２のすべての４つの方向（例えば、「Ｄ１」乃至「Ｄ４」）を網羅するために４つのスキャン期間（１つの方向当たり１つのスキャン期間）が要求されることが認識されることができる。しかしながら、図８の態様において、２つのアンテナサブアレイによって構成されたＵＥ５０２が４つの可能な方向（例えば、Ｕ＝４）にビームを送信するときには、ＵＥ５０２のすべての４つの方向（例えば、「Ｄ１」乃至「Ｄ４」）を網羅するために２つのスキャン期間（２つの方向当たり１つのスキャン期間）が要求される。従って、図６および図８におけるタイムスロットが、継続時間が等しくなるように構成される場合、図８の態様におけるスキャン動作は、ＵＥ５０２のすべての可能な方向をスキャンするために図６の態様において要求されるスキャン期間の数の半数を要求することになる。
【００５９】
[0072]図７および図９に関連し、図９の態様におけるｍｍＷ−ＢＳ５０４の複数のＲＦチェーンは、ｍｍＷ−ＢＳ５０４が複数の方向を同時に探索することを可能にするため、それらの複数のＲＦチェーンは、同期化プロシージャを実行するために要求される時間を短縮し得ることが認識されることができる。例えば、図７の態様において、１つのＲＦチェーンによって構成されたｍｍＷ−ＢＳ５０４が４つの可能な方向（例えば、Ｐ＝４）にビームを送信するときには、ｍｍＷ−ＢＳ５０４のすべての４つの方向（例えば、方向「Ｄ１」乃至「Ｄ４」）を網羅するために４つのスキャン期間（１つの方向当たり１つのスキャン期間）が要求される。しかしながら、図９の態様において、２つのＲＦチェーンによって構成されたｍｍＷ−ＢＳ５０４が４つの可能な方向（例えば、Ｐ＝４）にビームを送信するときには、ｍｍＷ−ＢＳ５０４のすべての４つの方向（例えば、「Ｄ１」乃至「Ｄ４」）を網羅するために２つのスキャン期間（２つの方向当たり１つのスキャン期間）が要求される。従って、図７および図９におけるタイムスロットが、継続時間が等しくなるように構成される場合、図９の態様におけるスキャン動作は、ｍｍＷ−ＢＳ５０４のすべての可能な方向をスキャンするために図７の態様において要求されるスキャン期間の数の半数を要求することになる。
【００６０】
[0073]図１０は、ＵＥ５０２およびｍｍＷ−ＢＳ５０４に関するスキャン動作例を示したフレーム構造１０００である。図１０の構成において、ＵＥ５０２は、複数のアンテナサブアレイを有し得、および、ｍｍＷ−ＢＳ５０４は、
デジタルビームフォーミング能力を有し得る。図１０において示されるように、ｍｍＷ−ＢＳ５０４は、スキャン期間の対応するタイムスロット（例えば、スロット１  １００２、スロット２  １００４、．．．、スロットＵ／２  １００６）の各々の間に２つの異なる方向に２つのビーム（例えば、方向「Ｄ１」に第１のビームおよび方向「Ｄ２」に第２のビーム）を同時に送信することによってＰの数の可能な方向（例えば、方向「Ｄ１」乃至「ＤＰ」）にビームを送信し得る。図１０においてさらに示されるように、ＵＥ５０２は、ｍｍＷ−ＢＳ５０４からのビームのための最良の経路を決定するために対応するタイムスロット（例えば、スロット１  １００２、スロット２  １００４、．．．、スロットＵ／２  １００６）の各々の間にそのＵの数の可能な方向のうちの２つの異なる方向（例えば、第１のタイムスロットにおける方向「Ｄ１」と方向「Ｄ２」、第２のタイムスロットにおける方向「Ｄ３」と方向「Ｄ４」、など）をスキャンし得る。例えば、タイムスロットの各々は、同じ継続時間を有し得る。そのような例において、図１０におけるスキャン期間１の継続時間は、ｍｍＷ−ＢＳ５０４がそのＰの方向の各々に関してビームを送信するために要求されるＵ／２のタイムスロットの合計に相当し得る。
【００６１】
[0074]図１０においてさらに示されるように、ｍｍＷ−ＢＳ５０４は、対応するタイムスロット（例えば、スロット１  １００８、スロット２  １０１０、．．．、スロットＵ／２  １０１２）の各々の間に２つの異なる方向に２つのビーム（例えば、方向「Ｄ３」に第１のビームおよび方向「Ｄ４」に第２のビーム）を同時に送信し得る。図１０においてさらに示されるように、ＵＥ５０２は、ｍｍＷ−ＢＳ５０４からのビームのための最良の経路を決定するために対応するタイムスロット（例えば、スロット１  １００８、スロット２  １０１０、．．．、スロットＵ／２  １０１２）の各々の間にそのＵの数の可能な方向のうちの２つの異なる方向（例えば、第１のタイムスロットにおける方向「Ｄ１」と方向「Ｄ２」、第２のタイムスロットにおける方向「Ｄ３」と方向「Ｄ４」、など）をスキャンし得る。例えば、タイムスロットの各々は、同じ継続時間を有し得る。そのような例において、図１０におけるスキャン期間２の継続時間は、ｍｍＷ−ＢＳ５０４がそのＰの方向の各々に関してビームを送信するために要求されるＵ／２のタイムスロットの合計に相当し得る。
【００６２】
[0075]図１０において示されるように、ｍｍＷ−ＢＳ５０４は、対応するタイムスロット（例えば、スロット１  １０１４、スロット２  １０１６、．．．、スロットＵ／２  １０１６）の各々の間に２つの異なる方向に２つのビーム（例えば、方向「ＤＰ−１」に第１のビームおよび方向「ＤＰ」に第２のビーム）を同時に送信することによってそのＰの数の可能な方向のうちの各方向にビームを送信し得る。図１０においてさらに示されるように、ＵＥ５０２は、ｍｍＷ−ＢＳ５０４からのビームのための最良の経路を決定するために対応するタイムスロット（例えば、スロット１  １０１４、スロット２  １０１６、．．．、スロットＵ／２    １０１８）の各々の間にそのＵの数の可能な方向のうちの２つの異なる方向（例えば、第１のタイムスロットにおける方向「Ｄ１」と方向「Ｄ２」、第２のタイムスロットにおける方向「Ｄ３」と方向「Ｄ４」、など）をスキャンし得る。例えば、タイムスロットの各々は、同じ継続時間を有し得る。そのような例において、図１０におけるスキャン期間Ｐ／２の継続時間は、ＵＥ５０２がそのＵの方向の各々をスキャンするために要求されるＵ／２のタイムスロットの合計に相当し得る。
【００６３】
[0076]一態様において、ｍｍＷ−ＢＳ５０４またはＵＥ５０２における任意の能力とは無関係に、一旦ＵＥ５０２が最良ビーム（例えば、ｍｍＷ−ＢＳ５０４に関するビームｉおよびＵＥ５０２に関するビームｊ）を決定すると、ＵＥ５０２は、ＲＡＣＨを通じてｍｍＷ−ＢＳ５０４にこの情報をシグナリングし得る。
【００６４】
[0077]一態様において、フレーム構造１０００は、他のＵＥよりも優れた信号品質という利益を有するＵＥ（例えば、ＵＥ５０２）に関する最初の発見プロセスにおけるレーテンシーを大幅に短縮するように再構成され得る。例えば、より優れた信号品質という利益を有するそのようなＵＥは、セルのほぼ中央に所在され得、他方、他のＵＥは、セルの縁部に所在される。そのような態様において、ＮＢのセクタの部分組は、ｍｍＷ−ＢＳ５０４において順次に整合され得、これらのセクタのうちの１つに関してＵＥ５０２からのＲＡＣＨによって後続される（必要な場合）。関係するユーザに関するビームフォーミングシグナリングのための最も可能性が高い方向として第１の部分組を適宜選択することによって、最初の発見プロセスにおけるレーテンシーが高い確率で大幅に短縮されることができる。
【００６５】
[0078]図１１は、ワイヤレス通信の方法のフローチャート１１００である。方法は、ＵＥ（例えば、ＵＥ５０２、装置１２０２／１２０２’）によって実行され得る。図１１において点線で示されるブロック（例えば、ブロック１１０４、１１０６、および１１１２）は、任意選択のブロックを表すことが注記されるべきである。
【００６６】
[0079]ブロック１１０２において、ＵＥは、少なくともデジタル、アナログ、またはハイブリッドビームフォーミング能力のうちの１つを示すビームフォーミング能力情報を受信し、ビームフォーミング能力は、ｍｍＷ−ＢＳに関連する。例えば、図５に関連し、ビームフォーミング情報は、ｍｍＷ−ＢＳ５０４から受信され得、および、ｍｍＷ−ＢＳ５０４の少なくともデジタル、アナログ、またはハイブリッドビームフォーミング能力のうちの１つを示す情報を受信し得る。別の例として、ビームフォーミング情報は、ｍｍＷ−ＢＳ５０４の（アンテナ切り換え速度とも呼ばれる）ＲＦビーム切り換え速度を示す情報を含み得る。
【００６７】
[0080]ブロック１１０４において、ＵＥは、ｍｍＷ−ＢＳにＵＥに関連するビームフォーミング能力情報を送信する。一態様において、ＵＥに関連するビームフォーミング能力情報は、ＵＥが複数のアンテナサブアレイを含むことを示す。一態様において、ＵＥに関連するビームフォーミング能力情報は、アンテナの本数、アンテナサブアレイの数、サブアレイのタイプ（線形、平面、等）、ビームフォーマアーキテクチャタイプ（例えば、デジタル、アナログ／ＲＦ、ハイブリッド）、および／または送信電力を示し得る。別の態様において、ビームフォーミング能力情報は、ＵＥの（アンテナ切り換え速度とも呼ばれる）ＲＦビーム切り換え速度を示す。
【００６８】
[0081]ブロック１１０６において、ＵＥは、ｍｍＷ−ＢＳに関連するビームフォーミング能力情報および／またはＵＥに関連するビームフォーミング能力情報に基づいて好ましいスキャンされたビームを通じてビーム情報を搬送するためにビーム探索プロシージャおよびＵＥとｍｍＷ−ＢＳとの間の適切なシグナリングフレームワークを決定する。例えば、ＵＥ５０２が複数のアンテナサブアレイを有し、ｍｍＷ−ＢＳ５０４がアナログビームフォーミング能力およびＵＥ５０２よりも高速のアンテナ切り換えを有する場合、ＵＥ５０２は、スキャンを完了させるために要求される時間を短縮するためにＵＥ５０２およびｍｍＷ−ＢＳ５０４の能力を利用するために図８のビーム探索プロシージャを適用することを決定し得る。別の例として、ＵＥ５０２が複数のアンテナサブアレイを有し、ｍｍＷ−ＢＳ５０４がデジタルビームフォーミング能力情報を有する場合、ＵＥは、スキャンを完了させるために要求される時間を短縮するためにＵＥ５０２およびｍｍＷ−ＢＳ５０４の能力を利用するために図１０のビーム探索プロシージャを適用することを決定し得る。
【００６９】
[0082]ブロック１１０８において、ＵＥは、ビームフォーミング能力情報に基づいて、ＵＥのＭの受信ビーム方向の各々に関してｍｍＷ−ＢＳからのＮの送信ビームをスキャンする。一態様において、ＵＥによるスキャンは、Ｎの送信ビームに関するアンテナ重みおよび／または位相および振幅を設定することを含む。一態様において、Ｎの送信ビームをスキャンすることは、タイムスロットにおいて複数のアンテナサブアレイを使用してＮの送信ビームをスキャンすることを備える。一態様において、ＵＥによりスキャンすることは、ＵＥに関連するビームフォーミング能力情報にさらに基づく。一態様において、ＵＥによりスキャンすることは、決定されたビーム探索プロシージャにより実行される。
【００７０】
[0083]ブロック１１１０において、ＵＥは、Ｎの送信ビームの中から１つまたは複数の好ましいスキャンされたビームを決定する。一態様において、ＵＥは、スキャンされたビームの信号品質をしきい値と比較することによって１つまたは複数の好ましいスキャンされたビームを決定する。
【００７１】
[0084]ブロック１１１２において、ＵＥは、ｍｍＷ−ＢＳに好ましい１つまたは複数のスキャンされたビームを示す情報を送信する。
【００７２】
[0085]最後に、ブロック１１１４において、ＵＥは、好ましい１つまたは複数のスキャンされたビームに基づいてｍｍＷ−ＢＳとワイヤレス通信リンクを確立する。
【００７３】
[0086]図１２は、例示的な装置１２０２における異なるモジュール／手段／コンポーネント間でのデータフローを示した概念的なデータフロー図１２００である。装置は、ＵＥであり得る。装置は、少なくともデジタル、アナログ、またはハイブリッドビームフォーミング能力のうちの１つを示すビームフォーミング能力情報を受信するモジュール１２０４、ビームフォーミング能力はｍｍＷ−ＢＳに関連する、と、ｍｍＷ−ＢＳに関連するビームフォーミング能力情報又はＵＥに関連するビームフォーミング能力情報のうちの少なくとも１つに基づいて好ましいスキャンされたビームを通じてビーム情報を搬送するためにビーム探索プロシージャおよびＵＥとｍｍＷ−ＢＳとの間の適切なシグナリングフレームワークを決定するモジュール１２０６と、ビームフォーミング能力情報に基づいて、ＵＥのＭの受信ビーム方向の各々に関してｍｍＷ−ＢＳからのＮの送信ビームをスキャンするモジュール１２０８と、Ｎの送信ビームの中から１つまたは複数の好ましいスキャンされたビームを決定するモジュール１２１０と、好ましい１つまたは複数のスキャンされたビームに基づいてｍｍＷ−ＢＳとワイヤレス通信を確立するモジュール１２１２と、ｍｍＷ−ＢＳにＵＥに関連するビームフォーミング能力情報を送信するモジュール１２１４、ここにおいて、スキャンは、ＵＥに関連するビームフォーミング能力情報にさらに基づく、と、ｍｍＷ−ＢＳに好ましい１つまたは複数のスキャンされたビームを示す情報を送信するモジュール１２１６と、を含む。一態様において、モジュール１２０８は、決定されたビーム探索プロシージャによりスキャンすることを実行する。
【００７４】
[0087]装置は、図１１の上記のフローチャート内のブロックの各々を実行する追加のモジュールを含み得る。従って、図１１の上記のフローチャート内の各ブロックは、モジュールによって実行され得、装置は、それらのモジュールのうちの１つまたは複数を含み得る。モジュールは、プロセッサによる実装のためにコンピュータ可読媒体内に格納された、述べられたプロセスを実行するように構成されたプロセッサによって実装された述べられたプロセスを実行するように特に構成された１つまたは複数のハードウェアコンポーネント、またはそれらの何らかの組み合わせであり得る。
【００７５】
[0088]図１３は、処理システム１３１４を使用する装置１２０２’に関するハードウェア実装の例を示した概略図１３００である。処理システム１３１４は、概してバス１３２４によって表されるバスアーキテクチャを用いて実装され得る。バス１３２４は、処理システム１３１４の特定の適用例および全体的な設計制約に依存して任意の数の相互接続バスとブリッジとを含み得る。バス１３２４は、プロセッサ１３０４、モジュール１２０４、１２０６、１２０８、１２１０、１２１２、１２１４、および１２１６、およびコンピュータ可読媒体／メモリ１３０６によって表される１つまたは複数のプロセッサおよび／またはハードウェアモジュールを含む様々な回路をまとめてリンクする。バス１３２４はまた、タイミングソース、周辺機器、電圧調整器、および電力管理回路のような様々な他の回路をリンクし得、それらは、当業においては周知であり、従って、それ以上は説明されない。
【００７６】
[0089]処理システム１３１４は、トランシーバ１３１０に結合され得る。トランシーバ１３１０は、１本または複数本のアンテナ１３２０に結合される。トランシーバ１３１０は、送信媒体を通じて様々な他の装置と通信するための手段を提供する。トランシーバ１３１０は、１本または複数本のアンテナ１３２０から信号を受信し、受信された信号から情報を抽出し、処理システム１３１４、具体的には受信モジュール１２０４、に抽出された情報を提供する。さらに、トランシーバ１３１０は、処理システム１３１４、具体的には送信モジュール１２１６、から情報を受信し、受信された情報に基づき、１本または複数本のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に格納されたソフトウェアの実行を含む一般的処理を担う。ソフトウェアは、プロセッサ１３０４によって実行されると、いずれかの特定の装置に関して上述される様々な機能を実行することを処理システム１３１４に行わせる。コンピュータ可読媒体／メモリ１３０６はまた、ソフトウェアを実行するときにプロセッサ１３０４によって処理されるデータを格納するために使用され得る。処理システムは、モジュール１２０４、１２０６、１２０８、１２１０、１２１２、１２１４、および１２１６のうちの少なくとも１つをさらに含む。モジュールは、コンピュータ可読媒体／メモリ１３０６に常駐／格納された、プロセッサ１３０４内で走るソフトウェアモジュール、プロセッサ１３０４に結合された１つまたは複数のハードウェアモジュール、またはそれらの何らか組み合わせであり得る。処理システム１３１４は、ＵＥ３５０のコンポーネントであり得、メモリ３６０および／またはＴＸプロセッサ３６８、ＲＸプロセッサ３５６、およびコントローラ／プロセッサ３５９のうちの少なくとも１つを含み得る。
【００７７】
[0090]一構成において、ワイヤレス通信のための装置１２０２／１２０２’は、少なくともデジタル、アナログ、またはハイブリッドビームフォーミング能力のうちの１つを示すビームフォーミング能力情報を受信するための手段、ビームフォーミング能力は、ミリメートル波基地局（ｍｍＷ−ＢＳ）に関連する、と、ビームフォーミング能力情報に基づいて、ＵＥのＭの受信ビーム方向の各々に関してｍｍＷ−ＢＳからのＮの送信ビームをスキャンするための手段と、Ｎの送信ビームの中から１つまたは複数の好ましいスキャンされたビームを決定するための手段と、好ましい１つまたは複数のスキャンされたビームに基づいてｍｍＷ−ＢＳとワイヤレス通信を確立するための手段と、ｍｍＷ−ＢＳに好ましい１つまたは複数のスキャンされたビームを示す情報を送信するための手段と、ｍｍＷ−ＢＳにＵＥに関連するビームフォーミング能力情報を送信するための手段、ここにおいて、スキャンすることは、ＵＥに関連するビームフォーミング能力情報にさらに基づく、と、ｍｍＷ−ＢＳに関連するビームフォーミング能力情報又はＵＥに関連するビームフォーミング能力情報のうちの少なくとも１つに基づいて好ましいスキャンされたビームを通じてビーム情報を搬送するためにビーム探索プロシージャおよびＵＥとｍｍＷ−ＢＳとの間の適切なシグナリングフレームワークを決定するための手段、ここにおいて、スキャンすることは、決定されたビーム探索プロシージャにより実行される、とを含む。上記の手段は、上記の手段によって表される機能を実行するように構成された装置１２０２の上記のモジュールのうちの１つまたは複数および／または装置１２０２’の処理システム１３１４であり得る。上述されるように、処理システム１３１４は、ＴＸプロセッサ３６８と、ＲＸプロセッサ３５６と、コントローラ／プロセッサ３５９と、を含む。従って、一構成において、上記の手段は、上記の手段によって表される機能を実行するように構成されたＴＸプロセッサ３６８、ＲＸプロセッサ３５６、およびコントローラ／プロセッサ３５９であり得る。
【００７８】
[0091]開示されるプロセス／フローチャートにおけるブロックの特定の順序または階層は、例示的な手法を示したものであることが理解される。設計上の選好に基づき、プロセス／フローチャートにおけるブロックの特定の順序または階層は、再アレンジされ得ることが理解される。さらに、幾つかのブロックは、組み合わせまたは省略され得る。添付される方法請求項は、様々なステップの要素を見本の順序で提示するものであり、提示される特定の順序又は階層に限定されることは意味されない。
【００７９】
[0092]前の説明は、任意の当業者が本明細書において説明される様々な態様を実行することを可能にするために提供される。これらの態様の様々な変更は、当業者にとって容易に明確になるであろう、および本明細書において定められる一般原理は、他の態様に対して適用され得る。以上のように、請求項は、本明細書において示される態様に限定されることは意図されず、言葉の請求項（ｌａｎｇｕａｇｅ  ｃｌａｉｍ）に一致する限りにおいて最も広範な適用範囲が認められるべきであり、ここにおいて、単数形の要素への言及は、その旨の特記がないかぎり「１つおよび１つのみ」を意味することは意図されず、むしろ「１つまたは複数」であることを意味することが意図される。単語「例示的な」は、本明細書においては、「例、実例、または例示として働く」ことを意味するために使用される。本明細書において「例示的な」として説明されるいずれの実装も、他の実装よりも好ましいまたは有利であるとは必ずしも解釈されるべきでない。別の特記がないかぎり、用語「幾つか」は、１つまたは複数を意味する。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａ、Ｂ、および／またはＣの任意の組み合わせを含み、および、Ａの倍数、Ｂの倍数、またはＣの倍数を含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組み合わせ」のような組み合わせは、Ａのみ、Ｂのみ、Ｃのみ、ＡとＢ、ＡとＣ、ＢとＣ、または、ＡとＢとＣであり得、ここで、任意のそのような組み合わせは、Ａ、Ｂ、またはＣの１つまたは複数のメンバーを含み得る。この開示全体を通じて説明され、当業者に知られているまたはのちに知られることになる様々な態様の要素のすべての構造上のおよび機能上の同等物は、引用によって本明細書に明示で組み入れられており、請求項によって包含されることが意図される。さらに、本明細書において開示されるいずれのものも、そのような開示が請求項において明示で記述されているかどうかにかかわらず、公衆を対象にすることは意図されない。いずれの請求項要素も、その要素が句“〜のための手段”を使用して明示されないかぎり、手段プラス機能（ｍｅａｎｓ  ｐｌｕｓ  ｆｕｎｃｔｉｏｎ）であるとは解釈されるべきでない。
以下に本願の出願当初の特許請求の範囲に記載された発明を付記する。
［Ｃ１］
ユーザ機器（ＵＥ）に関するワイヤレス通信の方法であって、
少なくともデジタル、アナログ、またはハイブリッドビームフォーミング能力のうちの１つを示すビームフォーミング能力情報を受信すること、前記ビームフォーミング能力は、ミリメートル波基地局（ｍｍＷ−ＢＳ）に関連する、と、
前記ビームフォーミング能力情報に基づいて、前記ＵＥのＭの受信ビーム方向の各々に関して前記ｍｍＷ−ＢＳからのＮの送信ビームをスキャンすることと、
前記Ｎの送信ビームの中から１つまたは複数の好ましいスキャンされたビームを決定することと、
前記好ましい１つまたは複数のスキャンされたビームに基づいて前記ｍｍＷ−ＢＳとワイヤレス通信リンクを確立することと、を備える、方法。
［Ｃ２］
前記ｍｍＷ−ＢＳに前記好ましい１つまたは複数のスキャンされたビームを示す情報を送信することをさらに備える、
Ｃ１に記載の方法。
［Ｃ３］
前記ｍｍＷ−ＢＳに前記ＵＥに関連するビームフォーミング能力情報を送信することをさらに備え、ここにおいて、前記スキャンすることは、前記ＵＥに関連する前記ビームフォーミング能力情報にさらに基づく、
Ｃ１に記載の方法。
［Ｃ４］
前記ｍｍＷ−ＢＳに関連する前記ビームフォーミング能力情報または前記ＵＥに関連する前記ビームフォーミング能力情報のうちの少なくとも１つに基づいて前記好ましいスキャンされたビームを通じてビーム情報を搬送するためにビーム探索プロシージャおよび前記ＵＥと前記ｍｍＷ−ＢＳとの間の適切なシグナリングフレームワークを決定することをさらに備える、
Ｃ３に記載の方法。
［Ｃ５］
前記ＵＥに関連する前記ビームフォーミング能力情報は、前記ＵＥが複数のアンテナサブアレイを備えることを示し、および、
前記Ｎの送信ビームを前記スキャンすることは、前記タイムスロットにおいて前記複数のアンテナサブアレイを使用して前記Ｎの送信ビームをスキャンすることを備える、
Ｃ３に記載の方法。
［Ｃ６］
前記スキャンすることは、前記Ｎの送信ビームに関するアンテナ重量および／または位相および振幅を設定することを備える、
Ｃ１に記載の方法。
［Ｃ７］
前記１つまたは複数の好ましいスキャンされたビームを決定することは、前記スキャンされたビームの信号品質をしきい値と比較することを備える、
Ｃ１に記載の方法。
［Ｃ８］
ワイヤレス通信のためのユーザ機器（ＵＥ）であって、
少なくともデジタル、アナログ、またはハイブリッドビームフォーミング能力のうちの１つを示すビームフォーミング能力情報を受信するための手段、前記ビームフォーミング能力は、ミリメートル波基地局（ｍｍＷ−ＢＳ）に関連する、と、
前記ビームフォーミング能力情報に基づいて、前記ＵＥのＭの受信ビーム方向の各々に関して前記ｍｍＷ−ＢＳからのＮの送信ビームをスキャンするための手段と、
前記Ｎの送信ビームの中から１つまたは複数の好ましいスキャンされたビームを決定するための手段と、
前記好ましい１つまたは複数のスキャンされたビームに基づいて前記ｍｍＷ−ＢＳとワイヤレス通信リンクを確立するための手段と、を備える、ワイヤレス通信のためのユーザ機器（ＵＥ）。
［Ｃ９］
前記ｍｍＷ−ＢＳに前記好ましい１つまたは複数のスキャンされたビームを示す情報を送信するための手段をさらに備える、
Ｃ８に記載のＵＥ。
［Ｃ１０］
前記ｍｍＷ−ＢＳに前記ＵＥに関連するビームフォーミング能力情報を送信するための手段をさらに備え、ここにおいて、前記スキャンすることは、前記ＵＥに関連する前記ビームフォーミング能力情報にさらに基づく、
Ｃ８に記載のＵＥ。
［Ｃ１１］
前記ｍｍＷ−ＢＳに関連する前記ビームフォーミング能力情報または前記ＵＥに関連する前記ビームフォーミング能力情報のうちの少なくとも１つに基づいて前記好ましいスキャンされたビームを通じてビーム情報を搬送するためにビーム探索プロシージャおよび前記ＵＥと前記ｍｍＷ−ＢＳとの間の適切なシグナリングフレームワークを決定するための手段をさらに備える、
Ｃ１１に記載のＵＥ。
［Ｃ１２］
前記ＵＥに関連する前記ビームフォーミング能力情報は、前記ＵＥが複数のアンテナサブアレイを備えることを示し、および、
前記Ｎの送信ビームを前記スキャンすることは、前記タイムスロットにおいて前記複数のアンテナサブアレイを使用して前記Ｎの送信ビームをスキャンすることを備える、
Ｃ１０に記載のＵＥ。
［Ｃ１３］
前記スキャンすることは、前記Ｎの送信ビームに関するアンテナ重量および／または位相および振幅を設定することを備える、
Ｃ８に記載のＵＥ。
［Ｃ１４］
前記１つまたは複数の好ましいスキャンされたビームを決定することは、前記スキャンされたビームの信号品質をしきい値と比較することを備える、
Ｃ８に記載のＵＥ。
［Ｃ１５］
ワイヤレス通信のためのユーザ機器（ＵＥ）であって、
メモリと、
前記メモリに結合され、および、
少なくともデジタル、アナログ、またはハイブリッドビームフォーミング能力のうちの１つを示すビームフォーミング能力情報を受信し、前記ビームフォーミング能力は、ミリメートル波基地局（ｍｍＷ−ＢＳ）に関連し、
前記ビームフォーミング能力情報に基づいて、前記ＵＥのＭの受信ビーム方向の各々に関して前記ｍｍＷ−ＢＳからのＮの送信ビームをスキャンし、
前記Ｎの送信ビームの中から１つまたは複数の好ましいスキャンされたビームを決定し、および、
前記好ましい１つまたは複数のスキャンされたビームに基づいて前記ｍｍＷ−ＢＳとワイヤレス通信リンクを確立するように構成された、
少なくとも１つプロセッサと、を備える、ワイヤレス通信のためのユーザ機器（ＵＥ）。
［Ｃ１６］
前記少なくとも１つプロセッサは、前記ｍｍＷ−ＢＳに前記好ましい１つまたは複数のスキャンされたビームを示す情報を送信するようにさらに構成される、
Ｃ１５に記載のＵＥ。
［Ｃ１７］
前記少なくとも１つプロセッサは、前記ｍｍＷ−ＢＳに前記ＵＥに関連するビームフォーミング能力情報を送信するようにさらに構成され、ここにおいて、前記スキャンすることは、前記ＵＥに関連する前記ビームフォーミング能力情報にさらに基づく、
Ｃ１５に記載のＵＥ。
［Ｃ１８］
前記少なくとも１つプロセッサは、前記ｍｍＷ−ＢＳに関連する前記ビームフォーミング能力情報または前記ＵＥに関連する前記ビームフォーミング能力情報のうちの少なくとも１つに基づいて前記好ましいスキャンされたビームを通じてビーム情報を搬送するためにビーム探索プロシージャおよび前記ＵＥと前記ｍｍＷ−ＢＳとの間の適切なシグナリングフレームワークを決定するようにさらに構成される、
Ｃ１７に記載のＵＥ。
［Ｃ１９］
前記ＵＥに関連する前記ビームフォーミング能力情報は、前記ＵＥが複数のアンテナサブアレイを備えることを示し、および、
前記Ｎの送信ビームを前記スキャンすることは、前記タイムスロットにおいて前記複数のアンテナサブアレイを使用して前記Ｎの送信ビームをスキャンすることを備える、
Ｃ１７に記載のＵＥ。
［Ｃ２０］
前記スキャンすることは、前記Ｎの送信ビームに関するアンテナ重量および／または位相および振幅を設定することを備える、
Ｃ１５に記載のＵＥ。
［Ｃ２１］
前記１つまたは複数の好ましいスキャンされたビームを決定することは、前記スキャンされたビームの信号品質をしきい値と比較することを備える、
Ｃ１５に記載のＵＥ。
［Ｃ２２］
コンピュータプログラム製品であって、コンピュータ可読媒体上に格納され、および、少なくとも１つのプロセッサ上で実行されると、
少なくともデジタル、アナログ、またはハイブリッドビームフォーミング能力のうちの１つを示すビームフォーミング能力情報を受信し、前記ビームフォーミング能力は、ミリメートル波基地局（ｍｍＷ−ＢＳ）に関連し、
前記ビームフォーミング能力情報に基づいて、前記ＵＥのＭの受信ビーム方向の各々に関して前記ｍｍＷ−ＢＳからのＮの送信ビームをスキャンし、
前記Ｎの送信ビームの中から１つまたは複数の好ましいスキャンされたビームを決定し、および、
前記好ましい１つまたは複数のスキャンされたビームに基づいて前記ｍｍＷ−ＢＳとワイヤレス通信リンクを確立することを前記少なくとも１つのプロセッサに行わせるコードを備える、コンピュータプログラム製品。
［Ｃ２３］
前記少なくとも１つのプロセッサ上で実行されると、前記ｍｍＷ−ＢＳに前記好ましい１つまたは複数のスキャンされたビームを示す情報を送信することを前記少なくとも１つのプロセッサに行わせるコードをさらに備える、
Ｃ２２に記載のコンピュータプログラム製品。
［Ｃ２４］
前記少なくとも１つプロセッサ上で実行されると、前記ｍｍＷ−ＢＳに前記ＵＥに関連するビームフォーミング能力情報を送信することを前記少なくとも１つのプロセッサに行わせるコードをさらに備え、ここにおいて、前記スキャンすることは、前記ＵＥに関連する前記ビームフォーミング能力情報にさらに基づく、
Ｃ２２に記載のコンピュータプログラム製品。
［Ｃ２５］
前記少なくとも１つのプロセッサによって実行されると、前記ｍｍＷ−ＢＳに関連する前記ビームフォーミング能力情報または前記ＵＥに関連する前記ビームフォーミング能力情報のうちの少なくとも１つに基づいて前記好ましいスキャンされたビームを通じてビーム情報を搬送するためにビーム探索プロシージャおよび前記ＵＥと前記ｍｍＷ−ＢＳとの間の適切なシグナリングフレームワークを決定することを前記少なくとも１つのプロセッサに行わせるコードをさらに備える、
Ｃ２４に記載のコンピュータプログラム製品。
［Ｃ２６］
前記ＵＥに関連する前記ビームフォーミング能力情報は、前記ＵＥが複数のアンテナサブアレイを備えることを示し、および、
前記Ｎの送信ビームを前記スキャンすることは、前記タイムスロットにおいて前記複数のアンテナサブアレイを使用して前記Ｎの送信ビームをスキャンすることを備える、
Ｃ２４に記載のコンピュータプログラム製品。
［Ｃ２７］
前記スキャンすることは、前記Ｎの送信ビームに関するアンテナ重量および／または位相および振幅を設定することを備える、
Ｃ２２に記載のコンピュータプログラム製品。
［Ｃ２８］
前記１つまたは複数の好ましいスキャンされたビームを決定することは、前記スキャンされたビームの信号品質をしきい値と比較することを備える、
Ｃ２２に記載のコンピュータプログラム製品。
【図１】
0006567650.tif 000002
【図２】
0006567650.tif 000003
【図３】
0006567650.tif 000004
【図４】
0006567650.tif 000005
【図５】
0006567650.tif 000006
【図６】
0006567650.tif 000007
【図７】
0006567650.tif 000008
【図８】
0006567650.tif 000009
【図９】
0006567650.tif 000010
【図１０】
0006567650.tif 000011
【図１１】
0006567650.tif 000012
【図１２】
0006567650.tif 000013
【図１３】
0006567650.tif 000014